(57)【要約】【課題】外貨両替処理だけでなく他の取引処理を実行可能であり、かつ、それぞれの処理を円滑に実行できる、貨幣処理装置、貨幣処理および貨幣処理システムを提供する。【解決手段】貨幣処理装置１は、日本円貨幣を出金する出金部９２と、外貨を含む貨幣を受け付ける入金部９１とを含む。制御部は、入金部９１に受け付けられた外貨を日本円貨幣に両替し、両替後の日本円貨幣を出金部９２によって出金する外貨両替処理と、日本円貨幣の釣銭の準備のために、所定の金種からなる日本円貨幣を出金部９２によって出金する釣銭準備処理とを切り換えて実行する。【選択図】図３
2017157155.tif 000002
【特許請求の範囲】
【請求項１】
第１通貨の貨幣を出金する出金部と、
前記第１通貨と異なる第２通貨の貨幣を含む貨幣を受け付ける入金部と、
前記入金部に受け付けられた第２通貨の貨幣を第１通貨に両替し、両替後の第１通貨の貨幣を前記出金部によって出金する外貨両替処理と、第１通貨である釣銭用貨幣の準備のために、所定の金種からなる第１通貨の貨幣を前記出金部によって出金する釣銭準備処理とを切り換えて実行する制御部とを含むことを特徴とする、貨幣処理装置。
【請求項２】
取引者によって視認される表示部をさらに含み、
前記制御部は、前記外貨両替処理を行うための外貨両替画面と、前記釣銭準備処理を行うための釣銭準備画面とを前記表示部に切り換えて表示し、
前記制御部は、前記外貨両替画面をデフォルト画面として前記表示部に表示することを特徴とする、請求項１に記載の貨幣処理装置。
【請求項３】
取引者からの操作を受け付けるための操作部をさらに含み、
前記デフォルト画面として表示される外貨両替画面は、前記外貨両替処理を開始するための外貨両替開始画面を含み、
前記外貨両替開始画面が前記表示部に表示されている状態で前記操作部が所定の操作を受け付けた場合に、前記制御部は前記外貨両替処理を開始することを特徴とする、請求項２に記載の貨幣処理装置。
【請求項４】
所定の入力を受け付けるための入力情報受付手段をさらに含み、
前記外貨両替画面が前記表示部に表示されている状態で前記入力受付手段が前記所定の入力を受け付けた場合に、前記制御部は、前記表示部の表示を、前記釣銭準備画面に切り換えることを特徴とする、請求項２または３に記載の貨幣処理装置。
【請求項５】
前記制御部は、前記釣銭準備処理の実行終了後に、前記表示部の表示を、前記デフォルト画面に復帰させることを特徴とする、請求項２〜４のいずれか一項に記載の貨幣処理装置。
【請求項６】
前記制御部は、前記釣銭準備処理として、前記入金部への入金無しに前記所定の金種の第１通貨の貨幣を出金する第１の釣銭準備処理と、前記入金部に入金される第１通貨の貨幣と交換で前記所定の金種の第１通貨の貨幣を出金する第２の釣銭準備処理とを切り換えて実行することを特徴とする、請求項１〜５のいずれか一項に記載の貨幣処理装置。
【請求項７】
ＩＤ情報を受け付けるためのＩＤ情報受付手段をさらに含み、
前記外貨両替画面が前記表示部に表示されている状態で前記ＩＤ情報受付手段が所定の第１のＩＤ情報を受け付けた場合に、前記制御部は、前記表示部の表示を、前記第１の釣銭準備処理を行うための第１の釣銭準備画面に切り換え、
前記外貨両替画面が前記表示部に表示されている状態で前記ＩＤ情報受付手段が、前記第１のＩＤ情報と異なる所定の第２のＩＤ情報を受け付けた場合に、前記制御部は、前記表示部の表示を、前記第２の釣銭準備処理を行うための第２の釣銭準備画面に切り換えることを特徴とする、請求項６に記載の貨幣処理装置。
【請求項８】
前記制御部は、前記釣銭準備処理として、前記入金部に入金される第１通貨の貨幣と交換で前記所定の金種の第１通貨の貨幣を出金する第２の釣銭準備処理を実行し、
前記第２の釣銭準備処理において前記入金部に入金された第１通貨の貨幣は、前記外貨両替処理において出金される第１通貨の貨幣として使用されることを特徴とすることを特徴とする、請求項１〜７のいずれか一項に記載の貨幣処理装置。
【請求項９】
第１通貨は日本円であり、第２通貨は日本円以外の一または複数の外国貨幣である、請求項１〜８のいずれか一項に記載の貨幣処理装置。
【請求項１０】
第１通貨の貨幣を出金する出金部と、前記第１通貨と異なる第２通貨の貨幣を含む貨幣を受け付ける入金部を含む貨幣処理装置において実行される貨幣処理方法であって、
前記入金部に入金される第２通貨の貨幣を第１通貨の貨幣に両替する外貨両替を行う外貨両替工程と、
第１通貨の釣銭の準備のために、所定の金種の第１通貨を前記出金部によって出金する釣銭準備工程と、
前記外貨両替工程と前記釣銭準備程とを互いに切り換えて実行する切り換え工程とを含むことを特徴とする、貨幣処理方法。
【請求項１１】
請求項１〜９のいずれか一項に記載の貨幣処理装置と、前記貨幣処理装置に通信可能に接続された管理装置とを含む貨幣処理システムにおいて、
前記第１通貨と前記第２通貨との交換レートを記憶する記憶部を含み、
前記制御部は、前記記憶部に記憶されている前記交換レートに基づいて、前記外貨両替処理を実行することを特徴とする、貨幣処理システム。
【発明の詳細な説明】
【技術分野】
【０００１】
この発明は、貨幣を処理できる貨幣処理装置、貨幣処理方法および貨幣処理システムに関する。
【背景技術】
【０００２】
下記特許文献１には、外国通貨の貨幣を日本円貨幣に両替する外貨両替機能を有した自動取引装置が記載されている。この自動取引装置で外貨両替を行う場合、交換前の外国通貨の貨幣を取引者によって自動取引装置に投入させ、その後、両替後金額を提示する。そして、取引者の確認の後、外貨両替が実行され、日本円貨幣が出金される。
【先行技術文献】
【特許文献】
【０００３】
【特許文献１】特開２０１５−６９４２２号公報
【発明の概要】
【発明が解決しようとする課題】
【０００４】
近年の外国人観光客の増大に伴い、外貨両替機の需要が増大している。外国人観光客の利用を考慮すると、外貨両替機の設置場所は、金融機関以外であることが望ましい。とくに、外国人観光客は小売店舗等の商業施設で商品を購入するため、商業施設に外貨両替機を設置することが望まれている。
しかしながら、貨幣処理装置（外貨両替機）を商業施設に設置するには、稼働率を上げて投資効果を高める為に、外貨両替機能だけでなく、他の付加機能を併せて持つ必要がある。
【０００５】
そこで、本発明の目的は、外貨両替処理だけでなく他の取引処理を実行可能であり、かつ、それぞれの処理を円滑に実行できる、貨幣処理装置、貨幣処理および貨幣処理システムを提供することである。
【課題を解決するための手段】
【０００６】
前記の目的を達成するための請求項１に記載の発明は、第１通貨の貨幣を出金する出金部と、前記第１通貨と異なる第２通貨の貨幣を含む貨幣を受け付ける入金部と、前記入金部に受け付けられた第２通貨の貨幣を第１通貨に両替し、両替後の第１通貨の貨幣を前記出金部によって出金する外貨両替処理と、第１通貨である釣銭用貨幣の準備のために、所定の金種からなる第１通貨の貨幣を前記出金部によって出金する釣銭準備処理とを切り換えて実行する制御部とを含むことを特徴とする、貨幣処理装置を提供する。
【０００７】
請求項２に記載の発明は、取引者によって視認される表示部をさらに含み、前記制御部は、前記外貨両替処理を行うための外貨両替画面と、前記釣銭準備処理を行うための釣銭準備画面とを前記表示部に切り換えて表示し、前記制御部は、前記外貨両替画面をデフォルト画面として前記表示部に表示することを特徴とする、請求項１に記載の貨幣処理装置である。
【０００８】
請求項３に記載の発明は、取引者からの操作を受け付けるための操作部をさらに含み、前記デフォルト画面として表示される外貨両替画面は、前記外貨両替処理を開始するための外貨両替開始画面を含み、前記外貨両替開始画面が前記表示部に表示されている状態で前記操作部が所定の操作を受け付けた場合に、前記制御部は前記外貨両替処理を開始することを特徴とする、請求項２に記載の貨幣処理装置である。
【０００９】
請求項４に記載の発明は、所定の入力を受け付けるための入力情報受付手段をさらに含み、前記外貨両替画面が前記表示部に表示されている状態で前記入力受付手段が前記所定の入力を受け付けた場合に、前記制御部は、前記表示部の表示を、前記釣銭準備画面に切り換えることを特徴とする、請求項２または３に記載の貨幣処理装置である。
請求項５に記載の発明は、前記制御部は、前記釣銭準備処理の実行終了後に、前記表示部の表示を、前記デフォルト画面に復帰させることを特徴とする、請求項２〜４のいずれか一項に記載の貨幣処理装置である。
【００１０】
請求項６に記載の発明は、前記制御部は、前記釣銭準備処理として、前記入金部への入金無しに前記所定の金種の第１通貨の貨幣を出金する第１の釣銭準備処理と、前記入金部に入金される第１通貨の貨幣と交換で前記所定の金種の第１通貨の貨幣を出金する第２の釣銭準備処理とを切り換えて実行することを特徴とする、請求項１〜５のいずれか一項に記載の貨幣処理装置である。
【００１１】
請求項７に記載の発明は、ＩＤ情報を受け付けるためのＩＤ情報受付手段をさらに含み、前記外貨両替画面が前記表示部に表示されている状態で前記ＩＤ情報受付手段が所定の第１のＩＤ情報を受け付けた場合に、前記制御部は、前記表示部の表示を、前記第１の釣銭準備処理を行うための第１の釣銭準備画面に切り換え、前記外貨両替画面が前記表示部に表示されている状態で前記ＩＤ情報受付手段が、前記第１のＩＤ情報と異なる所定の第２のＩＤ情報を受け付けた場合に、前記制御部は、前記表示部の表示を、前記第２の釣銭準備処理を行うための第２の釣銭準備画面に切り換えることを特徴とする、請求項６に記載の貨幣処理装置である。
【００１２】
請求項８に記載の発明は、前記制御部は、前記釣銭準備処理として、前記入金部に入金される第１通貨の貨幣と交換で前記所定の金種の第１通貨の貨幣を出金する第２の釣銭準備処理を実行し、前記第２の釣銭準備処理において前記入金部に入金された第１通貨の貨幣は、前記外貨両替処理において出金される第１通貨の貨幣として使用されることを特徴とすることを特徴とする、請求項１〜７のいずれか一項に記載の貨幣処理装置である。
【００１３】
請求項９に記載のように、第１通貨は日本円であり、第２通貨は日本円以外の一または複数の外国貨幣であってもよい。
前記の目的を達成するための請求項１０に記載の発明は、第１通貨の貨幣を出金する出金部と、前記第１通貨と異なる第２通貨の貨幣を含む貨幣を受け付ける入金部を含む貨幣処理装置において実行される貨幣処理方法であって、前記入金部に入金される第２通貨の貨幣を第１通貨の貨幣に両替する外貨両替を行う外貨両替工程と、第１通貨の釣銭の準備のために、所定の金種の第１通貨を前記出金部によって出金する釣銭準備工程と、前記外貨両替工程と前記釣銭準備程とを互いに切り換えて実行する切り換え工程とを含むことを特徴とする、貨幣処理方法を提供する。
【００１４】
前記の目的を達成するための請求項１１に記載の発明は、請求項１〜９のいずれか一項に記載の貨幣処理装置と、前記貨幣処理装置に通信可能に接続された管理装置とを含む貨幣処理システムにおいて、前記第１通貨と前記第２通貨との交換レートを記憶する記憶部を含み、前記制御部は、前記記憶部に記憶されている前記交換レートに基づいて、前記外貨両替処理を実行することを特徴とする、貨幣処理システムを提供する。
【発明の効果】
【００１５】
本発明によれば、貨幣処理装置が外貨両替処理と釣銭準備処理との双方を実行可能であり、その貨幣処理装置において、外貨両替処理と釣銭準備処理とが切り換えて実行される。そのため、外貨両替処理と釣銭準備処理とを個別に実行することができ、外貨両替処理および釣銭準備処理のそれぞれを円滑に行うことができる。
ゆえに、外貨両替処理だけでなく他の取引処理（釣銭準備取引）を実行可能であり、かつ、それぞれの処理を円滑に実行できる、貨幣処理装置、貨幣処理および貨幣処理システムを提供することができる。
【図面の簡単な説明】
【００１６】
【図１】図１は、本発明の一実施形態に係る貨幣処理システムが設置された店舗内のレイアウトを示す模式的な図である。
【図２】図２は、図１に示す貨幣処理装置の斜視図である。
【図３】図３は、前記貨幣処理装置の概略正面図である。
【図４Ａ】図４Ａは、図３に示す紙幣部の要部構成を示す模式図である。
【図４Ｂ】図４Ｂは、図３に示すバラ硬貨出金部の要部構成を示す模式図である。
【図４Ｃ】図４Ｃは、図３に示す包装硬貨出金部の要部構成を示す模式図である。
【図５】図５は、前記貨幣処理装置の電気的構成を示すブロック図である。
【図６】図６は、前記貨幣処理装置で実行される処理の流れを説明するためのフローチャートである。
【図７】図７は、図２に示す操作表示部における表示内容の一例を示す図である。
【図８】図８は、図６に示す外貨両替処理の流れを説明するためのフローチャートである。
【図９】図９は、前記操作表示部における表示内容の一例を示す図である。
【図１０】図１０は、前記操作表示部における表示内容の一例を示す図である。
【図１１】図１１は、前記操作表示部における表示内容の一例を示す図である。
【図１２】図１２は、前記操作表示部における表示内容の一例を示す図である。
【図１３】図１３は、前記操作表示部における表示内容の一例を示す図である。
【図１４】図１４は、前記操作表示部における表示内容の一例を示す図である。
【図１５】図１５は、前記操作表示部における表示内容の一例を示す図である。
【図１６】図１６は、前記操作表示部における表示内容の一例を示す図である。
【図１７】図１７は、前記操作表示部における表示内容の一例を示す図である。
【図１８】図１８は、前記操作表示部における表示内容の一例を示す図である。
【図１９】図１９は、前記操作表示部における表示内容の一例を示す図である。
【図２０】図２０は、前記外貨両替処理において、貨幣処理装置から発行されるレシートの一例を示す図である。
【図２１】図２１は、図６に示す釣銭準備処理のうち第１の釣銭準備処理の流れを説明するためのフローチャートである。
【図２２】図２２は、前記操作表示部における表示内容の一例を示す図である。
【図２３】図２３は、前記操作表示部における表示内容の一例を示す図である。
【図２４】図２４は、前記操作表示部における表示内容の一例を示す図である。
【図２５】図２５は、前記操作表示部における表示内容の一例を示す図である。
【図２６】図２６は、前記操作表示部における表示内容の一例を示す図である。
【図２７】図２７は、前記操作表示部における表示内容の一例を示す図である。
【図２８】図２８は、前記操作表示部における表示内容の一例を示す図である。
【図２９】図２９は、前記操作表示部における表示内容の一例を示す図である。
【図３０】図３０は、前記操作表示部における表示内容の一例を示す図である。
【図３１】図３１は、前記第１の釣銭準備処理において、前記貨幣処理装置から発行されるレシートの一例を示す図である。
【図３２】図３２は、前記操作表示部における表示内容の一例を示す図である。
【図３３】図３３は、前記操作表示部における表示内容の一例を示す図である。
【図３４】図３４は、図６に示す釣銭準備処理のうち第２の釣銭準備処理の流れを説明するためのフローチャートである。
【図３５】図３５は、前記操作表示部における表示内容の一例を示す図である。
【図３６】図３６は、前記操作表示部における表示内容の一例を示す図である。
【図３７】図３７は、前記操作表示部における表示内容の一例を示す図である。
【図３８】図３８は、前記操作表示部における表示内容の一例を示す図である。
【図３９】図３９は、前記操作表示部における表示内容の一例を示す図である。
【図４０】図４０は、前記操作表示部における表示内容の一例を示す図である。
【図４１】図４１は、前記操作表示部における表示内容の一例を示す図である。
【図４２】図４２は、前記第２の釣銭準備処理において、前記貨幣処理装置から発行されるレシートの一例を示す図である。
【発明を実施するための形態】
【００１７】
以下では、この発明の実施の形態を、添付図面を参照して詳細に説明する。
以降の説明において、「外貨」は日本円以外の外国通貨の貨幣を意味する。
図１は、本発明の一実施形態に係る貨幣処理システム１００が設置された店舗Ａ内のレイアウトを示す模式的な図である。店舗Ａは、たとえば、スーパーマーケット、ショッピングモール、百貨店等の複合型の小売店舗である。店舗Ａ内の販売エリアＤには、当該店舗Ａ（またはその本部）が運営する直営売り場Ｂが設けられている。店舗Ａの従業員（次に述べる従業員６を含む）は、従業員カードＣＡ１を保有している。従業員カードＣＡ１は、従業員毎に割り振られたＩＤ情報（識別情報）を記憶するＩＤカードである。
【００１８】
直営売り場Ｂには、通常、複数のＰＯＳレジスタ３が設置されている。ＰＯＳレジスタ３には、そのＰＯＳレジスタ３の個体を識別するためのレジ番号が割り当てられている。また、ＰＯＳレジスタ３に対応して、レジカード（図示しない）が用意されていてもよい。レジカードは、ＰＯＳレジスタ３毎に割り振られたＩＤ情報（識別情報）を記憶するＩＤカードである。
【００１９】
店舗Ａの販売エリアＤには、他社が運営する外部テナントＣが出店している。外部テナントＣには、その外部テナントＣを識別するためのテナント番号が割り当てられている。外部テナントＣには、テナント用カードＣＡ２（図２参照）が予め与えられている。テナント用カードＣＡ２は、外部テナントＣ毎に割り振られたＩＤ情報（識別情報）を記憶するＩＤカードである。各外部テナントＣには、レジ４が設置されている。店舗Ａには、日本人等の在内者だけでなく、外国人観光客も訪れる。
【００２０】
貨幣処理システム１００は、店舗Ａ内に設けられた販売エリアＤに設置された貨幣処理装置１と、貨幣処理装置１と通信可能に接続された管理装置２とを含む。
貨幣処理装置１は、外貨（第２通貨の貨幣）を、日本円貨幣（第１通貨の貨幣）に両替する外貨両替機である。この実施形態では、貨幣処理装置１は、アメリカドル、ユーロ、人民元および韓国ウォンという４種類の通貨の貨幣（紙幣）を、それぞれ日本円貨幣に両替可能に設けられている。貨幣処理装置１は、店舗Ａを訪れた一般客５（たとえば外国人観光客）が、自身が保有している外貨を日本円貨幣に両替するために利用される。
【００２１】
また、貨幣処理装置１は、外貨両替機能だけでなく、所定の日本円貨幣を、ＰＯＳレジスタ等における釣銭用貨幣として出金する釣銭準備機能も有している。直営売り場Ｂを担当する店舗Ａの従業員６（レジ係であってもよい）は、ＰＯＳレジスタ３の釣銭用硬貨が不足しそうな場合に、必要分の釣銭用貨幣を出金するために利用する。
さらには、外部テナントＣの従業員７が、外部テナントＣのレジ４の釣銭用貨幣が不足しそうな場合に、レジ４から取り出した両替用貨幣を必要分の釣銭用貨幣に両替するために利用する。
【００２２】
つまり、貨幣処理装置１は、外貨両替機に釣銭準備機能を付加したものであり、一台の貨幣処理装置１において外貨両替取引と釣銭準備取引との双方を行うことができる。外貨両替機能および釣銭準備機能の双方を有する貨幣処理装置１を店舗Ａの販売エリアＤに設置することにより、店舗Ａを訪れている一般客５（たとえば外国人観光客）だけでなく、従業員６や従業員７も貨幣処理装置１を利用するものと見込まれる。したがって、一台の貨幣処理装置１当りの利用者の増大を図ることができ、ゆえに、貨幣処理装置１および当該貨幣処理装置１に収納されている貨幣の有効利用を図ることができる。
【００２３】
管理装置２は、店舗Ａのバックヤード８に設けられた事務所内に設置されている。管理装置２は、コンピュータを用いて構成されている。管理装置２には、貨幣処理装置１から、当該貨幣処理装置１の入出金履歴、エラー履歴、在高情報等が与えられる。
管理装置２には、貨幣処理装置１の他、直営売り場Ｂの各ＰＯＳレジスタ３が通信可能に接続されている。ＰＯＳレジスタ３は、たとえばＰＯＳと釣銭機とを含む。なお、ＰＯＳレジスタ３がＰＯＳとドロア（箱状の引き出し）とによって構成されていてもよい。管理装置２には各ＰＯＳレジスタ３から、当該ＰＯＳレジスタ３の売上状況、釣銭機における金種別在高情報、当該ＰＯＳレジスタ３のエラー履歴等が与えられる。
【００２４】
また、管理装置２には、日本円貨幣を入出金するための貨幣入出金装置９が通信可能に接続されている。貨幣入出金装置９は、バックヤード８に設けられた事務所内に設置されている。貨幣入出金装置９は、直営売り場Ｂの各ＰＯＳレジスタ３から回収される売上金を入金するために用いられる。直営売り場ＢのＰＯＳレジスタ３には一万円札が溜まり易いため、防犯上の観点から、直営売り場Ｂの各ＰＯＳレジスタ３に溜まった一万円札を、直営売り場Ｂの従業員（従業員６であってもよい）が定期的に回収している。この従業員は、一日の営業時間の中で所定時刻になると、直営売り場Ｂの各ＰＯＳレジスタ３から、溜まった一万円札を取り出してバックヤード８に運び、この一万円札を貨幣入出金装置９に入金する。これにより、直営売り場Ｂの各ＰＯＳレジスタ３に一万円札が溜まるのを抑制できる。また、閉店時には、一万円札以外の貨幣を含む売上金がＰＯＳレジスタ３から回収されて、貨幣入出金装置９に入金される。このように、貨幣入出金装置９は専ら貨幣の入金のために用いられるため、入金機能を有していれば足り、必ずしも出金機能は必要ない。管理装置２には、貨幣入出金装置９から、当該貨幣入出金装置９の入出金履歴、エラー履歴等が与えられる。
【００２５】
管理装置２は、ネットワーク回線１１を介して、店舗Ａ外の管理センター１２に通信可能に設けられている。管理センター１２は、店舗Ａを含む複数の店舗を管理するための外部の集中管理装置である。
管理装置２は、記憶部１３を備えている。記憶部１３は、揮発性メモリやハードディスクドライブといった記憶デバイスによって構成されている。
【００２６】
記憶部１３には、ＩＤカード（従業員カードＣＡ１、テナント用カードＣＡ２、レジカード）のＩＤ情報が記憶されている。記憶部１３には、また、４種類の外貨と日本円との現在の交換レートが記憶されている。記憶部１３には、管理センター１２から送られる交換レートが更新記憶されるようになっていてもよい。管理装置２は、貨幣処理装置１からＩＤ情報や交換レートに関する照会があると、ＩＤ情報や現在の交換レートを、照会元の貨幣処理装置１に与える。貨幣処理装置１側では、受け取った情報を記憶部８４に記憶して、必要時に使用する。
【００２７】
直営売り場Ｂは店舗Ａが運営している。そのため、直営売り場ＢのＰＯＳレジスタ３用の釣銭準備金を、元金を投入すること無しに貨幣処理装置１から出金可能である。一方、外部テナントＣは運営主体が店舗Ａではないので、外部テナントＣのレジ４用の釣銭準備金は、貨幣処理装置１に入金される日本円貨幣と交換する形でしか出金できない。つまり、貨幣処理装置１は、外部テナントＣ向けには、高額の紙幣（日本円）を小額紙幣や硬貨に両替する通常の釣銭準備用の両替機能しか有さない。なお、この実施形態では、外部テナントＣによる釣銭準備金の出金に手数料は生じない。以下の説明では、日本円貨幣（元金）を投入すること無しに釣銭準備金を出金する釣銭準備取引を第１の釣銭準備取引といい、貨幣処理装置１に投入される日本円貨幣と交換で釣銭準備金を出金する釣銭準備取引を第２の釣銭準備取引という。
【００２８】
第１の釣銭準備取引は、ＰＯＳレジスタ３の個体（たとえばレジ番号）に関連付けて行われる。管理装置２は、貨幣処理装置１から出金された釣銭準備金を、ＰＯＳレジスタ３毎に管理している。
また、前述のように、この実施形態では、一万円札を定期的に回収して貨幣入出金装置９に入金するというような運用が行われている。このような一万円札の入金も、ＰＯＳレジスタ３の個体（たとえばレジ番号）に関連付けて行われる。管理装置２は、貨幣入出金装置９に入金された一万円札を、ＰＯＳレジスタ３毎に管理している。
【００２９】
このような運用が行われているために、直営売り場Ｂの各ＰＯＳレジスタ３では、「ＰＯＳレジスタ３における営業開始時からの貨幣の増加額」（当該ＰＯＳレジスタ３内に現に存在する貨幣の額から、営業開始時における釣銭の額を除いた額）と、実際の売上高とが一致しない。管理装置２は、「ＰＯＳレジスタ３における営業開始時からの貨幣の増加額」に、貨幣入出金装置９に入金された一万円札の額を加え、かつ貨幣処理装置１から出金された釣銭準備金を除いた額を、「その日に当該ＰＯＳレジスタ３に入金された現金」として判断する。この額に基づいて、店舗Ａの営業終了後、直営売り場Ｂの各ＰＯＳレジスタ３のレジ締めが行われる。
【００３０】
管理装置２は、各ＰＯＳレジスタ３の売上高、各ＰＯＳレジスタ３の売上商品種別、購入者情報等を管理している。また、管理装置２は、貨幣処理装置１の外貨両替履歴も管理している。さらに、管理装置２は、貨幣処理装置１、各ＰＯＳレジスタ３、貨幣入出金装置９等におけるエラーの発生を監視している。加えて、管理装置２は、管理センター１２に、店舗Ａにおける売上状況を送信している。
【００３１】
図２は、貨幣処理装置１の斜視図である。図３は、貨幣処理装置１の概略正面図である。
図３に示すように、貨幣処理装置１は、紙幣部１５と、バラ硬貨出金部１６と、包装硬貨出金部１７と、カード処理部（ＩＤ情報受付手段、入力情報受付手段）１８と、印字部１９と、貨幣処理装置１の各部に電源を供給するための電源部２０と、貨幣処理装置１を制御する制御部２１と、各部１５〜２１を収容する装置本体２２とを含む。
【００３２】
図２に示すように、装置本体２２の前側上部は、Ｌ字状に切り欠かれている。装置本体２２の前面は、略垂直に延びる垂直面２３と、垂直面２３の上端から後側へ略水平に延びる水平面２４と、水平面２４の後端から後上側へ少し傾斜して延びる傾斜面２５とを含む。傾斜面２５には、その幅方向略中央位置に、たとえばタッチパネルディスプレイから構成された操作表示部（表示部、操作部）２６が配置されている。操作表示部２６は、取引の際に取引者によって視認される表示部である。操作表示部２６には、外貨両替取引（貨幣処理装置１による貨両替処理）を行うための外貨両替画面２７（図７、図９〜図１９参照）と、第１の釣銭準備取引（貨幣処理装置１による第１の釣銭準備処理）を行うための第１の釣銭準備画面２８（釣銭準備画面）（図２２〜図３０、図３２および図３３参照）と、第２の釣銭準備取引（貨幣処理装置１による第２の釣銭準備処理）を行うための第２の釣銭準備画面２９（釣銭準備画面）（図３５〜図４１参照）とが切り換えて表示される。
【００３３】
操作表示部２６の右隣には、バラ硬貨出金口３１が形成されている。バラ硬貨出金口３１は、専用の第１のシャッター３２によって開閉される。傾斜面２５における操作表示部２６の下方には、取引者のカード（この実施形態では、従業員カードＣＡ１、テナント用カードＣＡ２、レジカード（図示しない））等が挿入されるカード挿入口３３と、レシート（レシート８１（図２０参照）、レシート８２（図３１参照）、レシート８３（図４２参照））が発行されるレシート発行口３４とが、右側からこの順番で設けられている。また、傾斜面２５では、バラ硬貨出金口３１の上方に貨幣処理装置１が両替機であることを示す「両替」という識別表示が付されている。
【００３４】
水平面２４において、左側に、包装硬貨出金口３５が形成され、右側に、紙幣入出金口３６が形成されている。包装硬貨出金口３５は、専用の第２のシャッター３７によって開閉される。紙幣入出金口３６は、専用の第３のシャッター３８によって開閉される。
紙幣部１５は、日本円の紙幣を金種毎（たとえば、一万円札、五千円札および千円札の３金種）に収納していて、外貨両替取引ならびに釣銭準備取引（第１および第２の釣銭準備取引）の際に、必要な額に相当する金種および枚数の日本円の紙幣を紙幣入出金口３６に払い出す。また、外貨両替取引および釣銭準備取引の際に、紙幣入出金口３６に投入された外国通貨および日本円の紙幣を取り込んで識別した後に、それぞれ紙幣部１５に収納する。
【００３５】
図４Ａは、紙幣部１５の要部構成を示す模式図である。
紙幣部１５は、複数（ここでは５つ）の収納庫３０を含む。５つの収納庫３０は、前後（図４Ａでは左右）に並んで配置されている。各収納庫３０は、箱状であり、内部に紙幣を収納できる。
また、装置本体２２には、装填リジェクト部４０および出金リジェクト部４１が設けられている。更に、紙幣入出金口３６と一体的に入金リジェクト部５４が設けられている。
【００３６】
装置本体２２内には、取込搬送路４２と、環状搬送路４３と、取出搬送路４４と、識別部４５とが設けられている。取込搬送路４２は、紙幣入出金口３６に入金された紙幣を１枚ずつ取り込み、環状搬送路４３へと送るための経路である。
環状搬送路４３は、取込搬送路４２から送られた紙幣を搬送するためのものであって、上下に扁平なループ状をなしている。環状搬送路４３内の紙幣は、５つの収納庫３０の上方で、循環するように搬送される。環状搬送路４３内の紙幣の搬送方向は、入金時や出金時で異なっており、図４Ａにおける時計回りと反時計回りの方向である。
【００３７】
取出搬送路４４は、環状搬送路４３内の紙幣（出金紙幣や入金リジェクト紙幣）を紙幣入出金口３６や入金リジェクト部５４へ送るための搬送路である。
識別部４５は、環状搬送路４３の上側部分の途中に配置されている。識別部４５は、環状搬送路４３を搬送される紙幣（外国通貨および日本円の紙幣）の金種を識別する。また、識別部４５は、環状搬送路４３を搬送されている紙幣の正損、真偽等を識別する。
【００３８】
環状搬送路４３の下側部分には、分岐路４６，４７，４８，４９，５０，５１の各一端が、環状搬送路４３内の紙幣の（ここでは、図４Ａにおける反時計回りの）搬送方向における上流側から、この順番で接続されている。
分岐路４６の他端は、図４Ａにおける最も左（前）側の収納庫３０Ａの内部につながっている。分岐路４７の他端は、図４Ａにおける左側から２番目の収納庫３０Ｂの内部につながっている。分岐路４８の他端は、図４Ａにおける左側から３番目の収納庫３０Ｃの内部につながっている。分岐路４９の他端は、図４Ａにおける左側から４番目の収納庫３０Ｄの内部につながっている。分岐路５０の他端は、図４Ａにおける最も右（後）側の収納庫３０Ｅの内部につながっている。
【００３９】
環状搬送路４３の上側部分において、環状搬送路４３内の識別部４５の右（後）側には、分岐路５２の一端が接続されている。分岐路５２の他端は、装填リジェクト部４０につながっている。
取込搬送路４２の途中には、分岐路５３の一端がつながっている。分岐路５３の他端は、出金リジェクト部４１につながっている。
【００４０】
なお、取込搬送路４２や環状搬送路４３等の搬送路には、紙幣を搬送するローラや搬送ベルト（図示しない）が設けられている。各収納庫３０には、分岐路４６，４７，４８，４９，５０において対応する分岐路からの紙幣を収納庫３０内部に取り込んだり、収納庫３０内の紙幣を当該分岐路へ送り出したりするためのローラ（図示しない）が設けられている。
【００４１】
環状搬送路４３と分岐路４６〜５２のそれぞれとの接続位置には、分岐爪（図示しない）が設けられており、この分岐爪を切り換えることによって、環状搬送路４３内の紙幣を所望の分岐路４６〜５２へ搬送することができる。また、この分岐爪は、取込搬送路４２と環状搬送路４３との接続位置、取込搬送路４２と分岐路５３との接続位置、および、取出搬送路４４と環状搬送路４３との接続位置のそれぞれに設けられている。
【００４２】
５つ並んだ収納庫３０のうち、３つの収納庫３０は、出金のために準備された紙幣（日本円）が収納される第１出金庫３０Ａ、第２出金庫３０Ｂ、第３出金庫３０Ｃとされる。別の１つの収納庫３０は、入金された紙幣を一時的に収納（保留）する一時保留部３０Ｄとされる。残りの１つの収納庫３０は、入金された紙幣が最終的に混合状態で収納される入金庫３０Ｅとされる。図４Ｂでは、３つの出金庫３０Ａ，３０Ｂ，３０Ｃ、一時保留部３０Ｄおよび入金庫３０Ｅが、右側（前側）からこの順番で並んでいる。
【００４３】
３つの出金庫３０Ａ〜３０Ｃは、一万円札、五千円札および千円札のそれぞれに対応するものであり、いずれかの出金庫３０Ａ〜３０Ｃには、一万円札、五千円札および千円札のいずれかの金種の紙幣が収納される。つまり、３０Ａ〜３０Ｃは、金種に応じて複数設けられており、各３０Ａ〜３０Ｃには、出金のために準備された所定の金種の紙幣が収納される。なお、出金庫の数は、任意で設定されるので、複数であれば４つ以上であってもよい。
【００４４】
図４Ｂは、バラ硬貨出金部１６の要部構成を示す模式図である。
バラ硬貨出金部１６は、バラ硬貨出金口３１の後側に設けられている。バラ硬貨出金部１６は、バラ硬貨を金種毎（たとえば、日本円で、五百円硬貨、百円硬貨、五十円硬貨および十円硬貨の４金種）に収納している。外貨両替取引および釣銭準備取引の際に、バラ硬貨出金部１６は、必要に応じた額のバラ硬貨をバラ硬貨出金口３１に払い出す。
【００４５】
バラ硬貨出金部１６は、複数（ここでは５つ）の硬貨収納庫５６を含む。５つの硬貨収納庫５６は、前後（図４Ｂでは左右）に並んで配置されている。各硬貨収納庫５６は、有底箱状のホッパであり、内部にバラ硬貨を収納できる。各硬貨収納庫５６の底部には、硬貨を１枚ずつ繰り出す繰出機構（図示しない）が設けられている。
装置本体２２内には、搬送路５７が設けられている。搬送路５７は、各硬貨収納庫５６から繰り出されたバラ硬貨を搬送するためのものである。搬送路５７は、５つの硬貨収納庫５６を上下に取り囲む。搬送路５７は、複数の硬貨収納庫５６の下方に跨って延びる下側搬送路５８と、下側搬送路５８に連通し、複数の硬貨収納庫５６の上方に跨って延びる上側搬送路５９とを含む。搬送路５７内のバラ硬貨の搬送方向は、図４Ｂにおける時計回りである。上側搬送路５９の下流端（すなわち搬送路５７の下流端）は、バラ硬貨出金口３１につながっている。
【００４６】
下側搬送路５８には、繰出し通路６１，６２，６３，６４，６５の各一端が、搬送路５７内のバラ硬貨の（ここでは、図４Ｂにおける時計回りの）搬送方向における下流側から、この順番で接続されている。
繰出し通路６１他端は、図４Ｂにおける最も左（前）側の硬貨収納庫５６Ａの底部につながっている。繰出し通路６２の他端は、図４Ｂにおける左側から２番目の硬貨収納庫５６Ｂの底部につながっている。繰出し通路６３の他端は、図４Ｂにおける左側から３番目の硬貨収納庫５６Ｃの底部につながっている。繰出し通路６４の他端は、図４Ｂにおける左側から４番目の硬貨収納庫５６Ｄの底部につながっている。繰出し通路６５の他端は、図４Ｂにおける最も右（後）側の硬貨収納庫５６Ｅの底部につながっている。
【００４７】
上側搬送路５９には、補充通路６６，６７，６８，６９，７０の各一端が、搬送路５７内のバラ硬貨の搬送方向における上流側から、この順番で接続されている。
補充通路６６の他端は、硬貨収納庫５６Ａの上部につながっている。補充通路６７の他端は、硬貨収納庫５６Ｂの上部につながっている。補充通路６８の他端は、硬貨収納庫５６Ｃの上部につながっている。補充通路６９の他端は、硬貨収納庫５６Ｄの上部につながっている。補充通路７０の他端は、硬貨収納庫５６Ｅの上部につながっている。
【００４８】
また、搬送路５７には、バラ硬貨を搬送する搬送機構（図示しない。搬送ベルトやローラ）が設けられている。搬送機構の駆動により、下側搬送路５８内のバラ硬貨は、上側搬送路５９へと送り出される。そして、上側搬送路５９内のバラ硬貨は、バラ硬貨出金口３１へと送られる。
上側搬送路５９と補充通路６６〜７０のそれぞれとの接続位置には、分岐爪（図示しない）が設けられており、この分岐爪を切り換えることによって、上側搬送路５９内のバラ硬貨を、補充通路６６〜７０を介して所望の硬貨収納庫５６へ送り込んで補充することができる。
【００４９】
５つ並んだ硬貨収納庫５６のうち、４つの硬貨収納庫５６は、出金のために準備されたバラ硬貨（日本円）が収納される第１硬貨出金庫５６Ｂ、第２硬貨出金庫５６Ｃ、第３硬貨出金庫５６Ｄおよび第４硬貨出金庫５６Ｅとされる。残りの１つの硬貨収納庫５６は、補充用のバラ硬貨が収納される補充用収納庫５６Ａとされる。図４Ｂでは、５つの硬貨収納庫５６Ａ，５６Ｂ，５６Ｃ，５６Ｄ，５６Ｅが、右側（前側）からこの順番で並んでいる。
【００５０】
４つの硬貨出金庫５６Ｂ〜５６Ｅは、十円硬貨、五十円硬貨、百円硬貨および五百円硬貨のそれぞれに対応するものであり、いずれかの硬貨出金庫５６Ｂ〜５６Ｅには、十円硬貨、五十円硬貨、百円硬貨および五百円硬貨のいずれかの金種のバラ硬貨が収納される。つまり、５６Ｂ〜５６Ｅは、金種に応じて複数設けられており、各５６Ｂ〜５６Ｅには、出金のために準備された所定の金種のバラ硬貨が収納される。なお、硬貨出金庫の数は、任意で設定されるので、複数であれば５つ以上であってもよい。また、１円硬貨を出金する運用の場合は、１円硬貨用の硬貨出金庫を設定してもよい。
【００５１】
図４Ｃは、包装硬貨出金部１７の要部構成を示す模式図である。
包装硬貨出金部１７は、所定数ごと（通常は、５０枚）にまとまった状態で包装された硬貨（包装硬貨）を金種毎（たとえば、日本円で、五百円硬貨、百円硬貨、五十円硬貨、十円硬貨、五円硬貨および一円硬貨の６金種）に収納している。包装硬貨出金部１７は、外貨両替取引および釣銭準備取引の際に、必要に応じた額に相当する種類および個数の包装硬貨を包装硬貨出金口３５に払い出す。
【００５２】
包装硬貨出金部１７は、筐体７１と、包装硬貨Ｋを収容する複数（たとえば６つ）のカセット７２と、カセット７２に収容されている包装硬貨Ｋを包装硬貨出金口３５に払い出すための搬送機構７３とを含む。図４Ｃにおける左側が筐体７１の前側であり、図４Ｃにおける右側が筐体７１の後側である。
搬送機構７３は、筐体７１内において前寄り（図４Ｃの左寄り）の領域に配置されている。搬送機構７３は、上面が開放する有底箱状のバケット７４と、バケット７４を包装硬貨出金口３５の直下である上位置（図４Ｃに破線で示す位置）と最下方の下位置（図４Ｃに実線で示す位置）との間で昇降させる昇降機構７５と、カセット７２から包装硬貨Ｋをバケット７４内へ繰り出すための繰出機構７６とを含む。昇降機構７５は、上位置と下位置との間の所望の高さ位置でバケット７４を保持することができる。繰出機構７６は、バケット７４と一体に昇降可能に設けられている。
【００５３】
カセット７２は、筐体７１内において搬送機構７３の後側の領域に配置されている。カセット７２は、前後方向に長手のトレイ形状をなしている。また、カセット７２は、その左右方向（図４Ｃにおける紙面に垂直な方向）における側面を塞ぐ側板（図示しない）も含んでいる。
複数のカセット７２は、上下方向に並んで配置されていて、互いに平行になっている。各カセット７２は、水平方向に対して後上側へ傾斜した状態で配置されている。各カセット７２は、筐体７１内において、支持部材（図示しない）に支持されて傾斜した姿勢を保ちつつ、傾斜方向に沿って前後にスライド可能である。
【００５４】
各カセット７２には、左右方向に長手となった姿勢の包装硬貨Ｋが、カセット７２の傾斜方向に沿って並んで収納される。カセット７２内において、これらの包装硬貨Ｋは、自重によって、まとまった状態で前端側へ片寄っており、前端部７８においてによって前下側からせき止められた状態になっている。
６つのカセット７２は、五百円硬貨、百円硬貨、五十円硬貨、十円硬貨、五円硬貨および一円硬貨のそれぞれに対応するものであり、いずれかのカセット７２には、五百円硬貨、百円硬貨、五十円硬貨、十円硬貨、五円硬貨および一円硬貨のいずれかの金種の包装硬貨が収納される。つまり、カセット７２は、金種に応じて複数設けられており、各カセット７２には、出金のために準備された所定の金種の包装硬貨が収納される。なお、出金庫の数は、任意で設定されるので、複数であれば７つ以上であってもよい。
【００５５】
バケット７４が下位置から上位置に向けて上昇すると、繰出機構７６も昇降する。バケット７４は、払い出し対象の包装硬貨Ｋを収容するカセット７２の前端部に対向して停止し、最も前側にある包装硬貨Ｋを繰出機構７６によってバケット７４へ繰り出す。バケット７４への包装硬貨Ｋの繰り出しは１本ずつ行われる。これにより、バケット７４を下位置から上位置へと上昇させる過程で、出金対象の包装硬貨Ｋをバケット７４に収容することができる。バケット７４が上位置にまで上昇された後、第２のシャッター３７が開放されることで、バケット７４に収容されている包装硬貨Ｋが、第２の繰出機構７７によって包装硬貨出金口３５へと繰り出される。これにより、包装硬貨出金口３５に包装硬貨Ｋが取出し可能となる。
【００５６】
図２に示すように、カード処理部１８は、カード挿入口３３の後側に設けられている。カード処理部１８は、カードからＩＤ情報を読み出すためのカードリーダライタ（図示しない）と、カード挿入口３３に挿入されたカードを、カード挿入口３３とカードリーダライタの読み取り位置との間で搬送させるカード搬送機構（図示しない）とを含む。
図２に示すように、印字部１９は、レシート発行口３４の後側に設けられていて、外貨両替取引または釣銭準備取引に係る明細を記録用紙に印字し、それをレシートとして出力する。また、所定の操作を行うことで、金種別の在高情報や複数件の取引情報（取引ログ）を印字して出力することもできる。印字部１９から出力されたレシートは、レシート発行口３４から装置本体２２の前方に向けて発行される。
【００５７】
図２および図３に示すように、貨幣処理装置１は、外国通貨および日本円の紙幣が入金され、当該紙幣を受け付ける処理を行うための入金部９１と、日本円貨幣を出金する処理を行うための出金部９２とを含む。この実施形態では、紙幣入出金口３６および紙幣部１５によって入金部９１が構成されており、紙幣部１５、バラ硬貨出金部１６および包装硬貨出金部１７によって出金部９２が構成されている。この実施形態では、入金部９１は、アメリカドル、ユーロ、人民元および韓国ウォンという４種の外国通貨の紙幣を受け付け可能である。また、入金部９１は、日本円の紙幣として、一万円札、五千円札、二千円札および千円札の４金種の紙幣を受け付け可能である。
【００５８】
図５は、貨幣処理装置１の電気的構成を示すブロック図である。
制御部２１は、たとえばマイクロコンピュータを用いて構成されている。制御部２１は、ＣＰＵ等の演算部、記憶デバイスおよび入出力部を有している。制御部２１には、記憶部８４、操作表示部２６、カード処理部１８、印字部１９、紙幣部１５、識別部４５、包装硬貨出金部１７、バラ硬貨出金部１６等が電気的に接続されている。さらに、制御部２１は、通信Ｉ／Ｆ部８５を介して、管理装置２（図１参照）や管理センター１２（図１参照）と通信することができる。
【００５９】
記憶部８４は、不揮発性メモリやハードディスクドライブといった記憶デバイスによって構成されている。記憶部８４は、貨幣処理装置１における処理に関する種々のデータやテーブルを記憶している。
制御部２１は、紙幣入出金口３６に投入された外貨を日本円貨幣に両替し、両替後の日本円貨幣を出金部９２によって払い出す外貨両替処理を実行可能である。また、制御部２１は、紙幣入出金口３６に日本円貨幣（元金）を投入すること無しに、所定の金種の日本円貨幣を、釣銭準備のために出金部９２によって払い出す第１の釣銭準備処理（第１の釣銭準備取引を実行するための処理）を実行可能である。さらに、制御部２１は、紙幣入出金口３６に投入された日本円貨幣を、所定の金種の日本円貨幣の釣銭に崩して出金部によって紙幣入出金口３６に払い出す第２の釣銭準備処理（第２の釣銭準備取引を実行するための処理）を実行可能である。そして、制御部２１は、これら３つの処理をそれぞれ切り換えて実行する。
【００６０】
図６は、貨幣処理装置１で実行される処理の流れを説明するためのフローチャートである。図７は、貨幣処理装置１の取引開始前の待機中に、操作表示部２６に表示される外貨両替開始画面１０１（デフォルト画面（待機画面））の一例を示す図である。
前述のように、貨幣処理装置１において外貨両替取引と釣銭準備取引との双方を行うことができる。制御部２１は、外貨両替処理（外貨両替取引を実行するための処理）を開始するための外貨両替開始画面１０１をデフォルト画面として操作表示部２６に表示している（図６のステップＳ１）。操作表示部２６にタッチ操作が行われるか、またはカード（この実施形態では、従業員カードＣＡ１またはテナント用カードＣＡ２）がカード挿入口３３に挿入されるかを、制御部２１は監視している（図６のステップＳ２，Ｓ４）。
【００６１】
デフォルト画面として外貨両替開始画面１０１を採用している理由は、次に述べる通りである。すなわち、貨幣処理装置１を日本国内の店舗Ａに設置する場合、貨幣処理装置１を用いて外貨両替取引を行う一般客５は、外国人旅行客であることが想定される。このような外国人旅行客は、当該店舗に設置されている貨幣処理装置１を初めて使用するから、当該貨幣処理装置１の操作に慣れていない。このような状況で、仮に、操作表示部２６に表示されるデフォルト画面が他の画面であると、外国人旅行客が、外貨両替用の画面に切り替えることができず、外貨両替処理を行えなかったり、操作エラーを引き起こしたりするおそれがある。当該貨幣処理装置１の操作に誤るおそれもある。そこで、この実施形態では、一般客（外国人旅行客を含む）の使い易さの向上を図るべく、外貨両替開始画面１０１をデフォルト画面として採用している。
【００６２】
一方、直営売り場Ｂの従業員６や外部テナントＣの従業員７は、貨幣処理装置１の操作説明を受けていることを前提としている為、外貨両替開始画面１０１をデフォルト画面（待機画面）としても、従業員６,７等による操作エラー等が発生する可能性は低いものと考えられる。
貨幣処理装置１において、外貨両替取引を行おうとする一般客５は、操作表示部２６（後述する両替ボタン１０２〜１０５）をタッチ操作する。一方、釣銭準備取引を行おうとする従業員６，７は、自身が所持するカード（従業員カードＣＡ１またはテナント用カードＣＡ２）を、カード挿入口３３に挿入する。
【００６３】
図７に示すように、外貨両替開始画面１０１には、両替元の外貨の種別としてアメリカドルを選択する場合に操作されるアメリカドル両替ボタン１０２と、両替元の外貨の種別としてユーロを選択する場合に操作されるユーロ両替ボタン１０３と、両替元の外貨の種別として人民元を選択する場合に操作される人民元両替ボタン１０４と、両替元の外貨の種別として韓国ウォンを選択する場合に操作される韓国ウォン両替ボタン１０５と、「いらっしゃいませ」を意味する英語、中国語、韓国語の開始ガイダンス１０６とが表示される。各外貨両替ボタン１０２〜１０５には、対応する通貨を表す表示の他、当該通貨と日本円との現在の交換レートが表示されている。制御部２１は、各通貨の現在の交換レートを管理装置２に照会し、取得した交換レートを、各外貨両替ボタン１０２〜１０５に表示させる。なお、待機状態においては、各開口部に貨幣や異物が投入されないように、第１〜第３のシャッター３２，３７，３８は閉鎖状態にある。
【００６４】
外貨両替開始画面１０１（外貨両替画面２７）が操作表示部２６に表示されている状態で、タッチ操作を操作表示部２６が受け付けた場合（具体的には、外貨両替ボタン１０２〜１０５のいずれかが選択操作された場合）（図６のステップＳ２でＹＥＳ）、制御部２１は、外貨両替処理の実行を開始する（図６のステップＳ３）。一方、外貨両替開始画面１０１（外貨両替画面２７）が操作表示部２６に表示されている状態で、カード挿入口３３へのカードの挿入によりカード処理部１８がカードを受け付けた場合（つまり、カードに含まれるＩＤ情報がカード処理部１８に読み取られた場合）（図６のステップＳ４でＹＥＳ）には、制御部２１は、釣銭準備処理（第１の釣銭準備処理および第２の釣銭準備処理を含む処理）の実行を開始する（図６のステップＳ５）。
【００６５】
具体的には、カード処理部１８が従業員カードＣＡ１を受け付けた場合（つまり、従業員カードＣＡ１に含まれるＩＤ情報がカード処理部１８に読み取られた場合）、制御部２１は、第１の釣銭準備処理の実行を開始する。また、カード処理部１８がテナント用カードＣＡ２を受け付けた場合（つまり、テナント用カードＣＡ２に含まれるＩＤ情報がカード処理部１８に読み取られた場合）、制御部２１は、第２の釣銭準備処理の実行を開始する。
【００６６】
従業員カードＣＡ１が投入されると、制御部２１は、操作表示部２６の表示を、外貨両替開始画面１０１から第１の釣銭準備画面２８に切り換える。また、テナント用カードＣＡ２が投入されると、制御部２１は、操作表示部２６の表示を、外貨両替開始画面１０１から第２の釣銭準備画面２９に切り換える。また、釣銭準備処理の実行終了後には、制御部２１は、操作表示部２６の表示を、デフォルト画面である外貨両替開始画面１０１に復帰させる。
（外貨両替処理）
図８は、図６に示す外貨両替処理の流れを説明するためのフローチャートである。図９〜図１９は、外貨両替処理における操作表示部２６の表示内容の一例を示す図である。図２０は、外貨両替処理において、貨幣処理装置１から発行されるレシート８１の一例を示す図である。以下、外貨両替処理について、図１、図２、図５および図８を参照しながら説明する。図９〜図２０は適宜参照する。
【００６７】
外貨両替開始画面１０１が操作表示部２６に表示されている状態で、外貨両替ボタン１０２〜１０５のいずれかが選択されると（図８のステップＳ１１）、制御部２１は、紙幣入出金口３６のシャッター（第３のシャッター３８）を開放するとともに、図９〜図１２に示すように、外貨入金案内画面１０７を操作表示部２６に表示し、外国通貨の紙幣の紙幣入出金口３６への投入を一般客５に促す。また、制御部２１は、選択操作された外貨両替ボタン１０２〜１０５に対応する通貨を、両替元の外貨として記憶部８４に記憶させる。外貨入金案内画面１０７以降の各外貨両替画面２７において、各外貨両替画面２７に含まれるガイダンスの言語は、選択された両替元の外貨が使用される国（地域）で使用される言語である。アメリカドル両替ボタン１０２またはユーロ両替ボタン１０３が選択操作された場合には、外貨両替画面２７において英語表記でガイダンスされる。人民元両替ボタン１０４が選択操作された場合には、外貨両替画面２７において中国語表記でガイダンスされる。韓国ウォン両替ボタン１０５が選択操作された場合には、外貨両替画面２７において韓国語表記でガイダンスされる。各言語に対応する外貨両替画面２７において、ガイダンスの言語以外に特段の相違はない。
【００６８】
図９には、アメリカドル両替ボタン１０２が選択操作された場合に表示される外貨入金案内画面１０７を示している。図１０には、ユーロ両替ボタン１０３が選択操作された場合に表示される外貨入金案内画面１０７を示している。図１１には、人民元両替ボタン１０４が選択操作された場合に表示される外貨入金案内画面１０７を示している。図１２には、韓国ウォン両替ボタン１０５が選択操作された場合に表示される外貨入金案内画面１０７を示している。
【００６９】
外貨入金案内画面１０７より後の画面を示す各図（図１３〜図１９）では、アメリカドル両替ボタン１０２が選択操作された場合を例に挙げて説明する。前述のように、各言語に対応する外貨両替画面２７において、ガイダンスの言語以外に特段の相違はない。なお、ユーロ両替ボタン１０３が選択操作された場合には、アメリカドル両替ボタン１０２が選択操作された場合とは異なり、外貨入金案内画面１０７、ならびに次に述べる外貨追加両替案内画面１１６（図１５参照）および支払い画面１２０（図１８参照）において、「ＢＩＬＬＳ」とのガイダンスに代えて「ＢＡＮＫ  ＮＯＴＥＳ」というガイダンスが表示される。
【００７０】
外貨入金案内画面１０７は、図９〜図１２に示すように、貨幣処理装置１を正面から見たイメージと、紙幣入出金口３６に紙幣を投入するように促すためのガイダンスおよびイラストと、選択操作された外貨両替ボタン１０２〜１０５に対応する通貨と日本円との交換レートを示す交換レート表示１０８とを表示している。交換レートは、管理装置２から取得された数値が採用される。この数値は、単純に為替レートを用いてもよいし、両替手数料分を考慮した数値を用いてもよい。
【００７１】
なお、一般客５は、外貨入金案内画面１０７の右上に表示されている取消しボタン１０９を選択することにより、外貨両替開始画面１０１に戻ることができる。
操作表示部２６への外貨入金案内画面１０７の表示開始後において、一般客５は、外貨入金案内画面１０７の案内に従って外国通貨の紙幣（たとえばアメリカドル紙幣）を紙幣入出金口３６に投入する。外国通貨の紙幣が紙幣入出金口３６に投入されると（図８のステップＳ１２でＹＥＳ）、その後、第３のシャッター３８が閉じられて、紙幣入出金口３６が閉塞される。その後、制御部２１は紙幣部１５を駆動して、紙幣入出金口３６に投入された外国通貨の紙幣を一時保留部３０Ｄに向けて１枚ずつ搬送させる。
【００７２】
第３のシャッター３８が閉じられた後は、制御部２１は、図１３に示すように、計数中である旨を示すための計数中画面１１０を操作表示部２６に表示する。計数中画面１１０は、貨幣処理装置１を正面から見たイメージと、待機すべき旨のガイダンスと、計時中である旨のイラストとを含む。
一時保留部３０Ｄに向けて搬送させられる外国通貨の紙幣は、その搬送途中において識別部４５によって、外貨種別、金種、正損、真偽等が識別される（図８のステップＳ１３）。この識別部４５による識別に基づき、入金された外国通貨の紙幣の枚数が金種ごとに計数され（図８のステップＳ１３）、一時保留部３０Ｄに混合状態で収納（保留）される。識別部４５によって偽券が検出された場合には、入金リジェクト部５４からリジェクトされる。また、選択操作された外貨両替ボタン１０２〜１０５に対応する通貨以外の紙幣であることが検出された場合にも、入金リジェクト部５４からリジェクトされる。
【００７３】
また、制御部２１は、計数された外国通貨の紙幣の額を日本円に換算する（図８のステップＳ１４）。制御部２１は、管理装置２から取得した現在の交換レートに基づいて日本円への換算を行う。
外国通貨の紙幣の計数が終了すると、制御部２１は、図１４に示すように、計数結果の明細を示す計数終了画面１１１を操作表示部２６に表示する（図８のステップＳ１５）。
【００７４】
計数終了画面１１１には、両替内容の明細１１２と、明細１１２を確認する旨のガイダンスと、交換レート表示１０８と、追加両替ボタン１１３（Ｄｅｐｏｓｉｔ）と、確認ボタン１１４（Ｄｉｓｐｅｎｓｅ）とが表示されている。明細１１２には、貨幣処理装置１への外貨（図１４の例ではアメリカドル）の入金額と、それを日本円に両替した後の出金額とが表示されている。なお、貨幣処理装置１の外貨両替取引においては、日本円の出金額は１０円未満の端数は切り捨てられる。
【００７５】
さらに、外国通貨の紙幣（たとえばアメリカドルの紙幣）を追加両替したい場合には、一般客５は、図１４に示す計数終了画面１１１において追加両替ボタン１１３をタッチ操作により選択する。追加両替ボタン１１３が選択されると、制御部２１は、紙幣入出金口３６のシャッター（第３のシャッター３８）を開放するとともに、図１５に示すように、外貨追加両替案内画面１１６を操作表示部２６に表示する。外貨追加両替案内画面１１６は、既に入金済みの外貨の額を表示するための入金済み外貨表示部１１７、および追加両替を行なわずに計数を終了させるための計数終了ボタン１２２（Ｆｉｎｉｓｈ  Ｃｏｕｎｔ）を設けた点を除いて、外貨入金案内画面１０７（図９等参照）と同じである。計数終了ボタン１２２が操作されると、制御部２１は、紙幣入出金口３６のシャッター（第３のシャッター３８）を閉じるとともに、計数終了画面１１１を操作表示部２６に表示する。
【００７６】
外貨追加両替案内画面１１６が操作表示部２６に表示されている状態で、紙幣入出金口３６に新たに外国通貨の紙幣が投入されると、その後、紙幣入出金口３６が閉塞され、紙幣入出金口３６に投入された外国通貨の紙幣が一時保留部３０Ｄに向けて搬送させられる。そして、識別部４５による計数が再度行われ、入金された外国通貨の紙幣の枚数が金種ごとに計数される。また、操作表示部２６の表示が計数中画面１１０（図１３参照）に切り換わる。そして、識別部４５による計数が終了すると、制御部２１は、計数終了画面１１１（図１４参照）を操作表示部２６に再度表示する。計数終了画面１１１の明細１１２には、追加入金を含めた外国通貨の紙幣（図１４の例ではアメリカドル）の投入額と、それを日本円に両替した後の出金額とが表示される。
【００７７】
また、計数動作中に、リジェクト紙幣が検出された場合には、入金リジェクト部５４へのリジェクト排出に併せて、制御部２１は、入金リジェクト部５４からのリジェクト紙幣の抜き取りを促す旨のガイダンスが表示されたリジェクト抜き取り待ち画面（図示しない）が操作表示部２６に表示される。リジェクト紙幣が抜き取られた後、制御部２１は、外貨追加両替案内画面１１６（図１５参照）を操作表示部２６に表示する。この状態で、紙幣入出金口３６に瑕疵のない外国通貨の紙幣を投入すると、紙幣入出金口３６が閉塞される。その後の動作は、追加入金の場合と同様である。
【００７８】
図１４に示す計数終了画面１１１において確認ボタン１１４が操作されると（図８のステップＳ１６でＹＥＳ）、外貨両替取引における入金額が確定する。そして、制御部２１は、両替貨幣（日本円）の出金処理を実行する（図８のステップＳ１７）。具体的には、制御部２１は、紙幣部１５を制御して、出金すべき日本円の紙幣に対応する収納庫３０Ａ〜３０Ｃから紙幣を搬送し、紙幣入出金口３６に日本円の紙幣を排出する。また、制御部２１は、バラ硬貨出金部１６を制御して、出金すべき日本円のバラ硬貨に対応する硬貨収納庫５６Ｂ〜５６Ｅからバラ硬貨を搬送し、バラ硬貨出金口３１に日本円のバラ硬貨を排出する。なお、出金される両替貨幣の金種別枚数は、１０円〜一万円の貨幣によって、合計枚数が最小となるように自動計算されるものとする。
【００７９】
また、制御部２１は、図１６に示すように、出金中画面１１８を操作表示部２６に表示する。出金中画面１１８は、貨幣処理装置１を正面から見たイメージと、待機すべき旨のガイダンスと、出金中である旨のイラストとを含む。
全ての紙幣が紙幣入出金口３６に排出されると、制御部２１は、印字部１９を制御して、両替明細の内容をレシート８１に印字する（図８のステップＳ１８）。これにより、レシート発行口３４からレシート８１が発行される。
【００８０】
図２０に示すように、レシート８１には、図１４に示す計数終了画面１１１の明細１１２と同等の内容の両替明細が記載されている。具体的には、レシート８１には、入金額の表示８１Ａ、出金額の表示８１Ｂの他、交換レートの表示８１Ｃ、入金額に対応する日本円の表示８１Ｄ、および端数の表示８１Ｅ等が記載される。ほかに、取引日時や、店舗コード、取引番号等が記載される。なお、図２０では、両替元の外貨がアメリカドルである場合を例に挙げているので英語表記となっているが、両替元の外貨が中国元である場合のレシート８１は中国語表記であるし、両替元の外貨が韓国ウォンである場合のレシート８１は韓国語表記である。
【００８１】
また、レシート８１の発行に併せて、制御部２１は、図１７に示すように、レシート発行画面１１９を操作表示部２６に表示する。レシート発行画面１１９は、貨幣処理装置１を正面から見たイメージと、レシート８１をレシート発行口３４から抜き取る旨のガイダンスおよびイラストとを含む。
レシート８１がレシート発行口３４から抜き取られると、制御部２１は、図１８に示すように、支払い画面１２０を操作表示部２６に表示する。支払い画面１２０は、貨幣処理装置１を正面から見たイメージと、紙幣およびバラ硬貨を、出金口３６，３１から取り出す旨のガイダンスおよびイラストとを含む。
【００８２】
支払い画面１２０の表示後、出金対象の出金口が開放される。たとえば、第３のシャッター３８が開かれて、紙幣入出金口３６が開放されると共に、第１のシャッター３２が開かれて、バラ硬貨出金口３１が開放される（図８のステップＳ１９）。一般客５は、紙幣入出金口３６から日本円の紙幣を取り出すと共に、バラ硬貨出金口３１から日本円のバラ硬貨を取り出す。そして、一般客５が、入出金口３１，３６から出金貨幣を取り出すと、制御部２１は、入出金口３１，３６のシャッター（第１および第３のシャッター３２，３８）を閉じて、図１９に示すように、後処理画面１２１を操作表示部２６に表示して外貨両替処理を終了し、その後、操作表示部２６に外貨両替開始画面１０１を表示する。つまり、操作表示部２６の表示が、デフォルト画面である外貨両替開始画面１０１に復帰する。
【００８３】
外貨両替取引の終了の確定後には、制御部２１は、紙幣部１５を制御して、一時保留部３０Ｄに一時的に収納されている外国通貨の紙幣を入金庫３０Ｅに向けて搬送させる。これにより、紙幣入出金口３６に元金として投入された外国通貨の紙幣が、入金庫３０Ｅに入金される。
一方、一般客５は、図１４に示す計数終了画面１１１において、計数終了画面１１１の右上に表示されている取消しボタン１１５（Ｃａｎｃｅｌ）を選択することにより、外貨両替取引を中止することができる。取消しボタン１１５が操作されると（図８のステップＳ２０でＹＥＳ）、貨幣処理装置１に投入されている外国通貨の紙幣が一般客５に返却される（図８のステップＳ２１）。具体的には、制御部２１は、紙幣部１５を制御して、一時保留部３０Ｄに収納されている外国通貨の紙幣を紙幣入出金口３６に向けて搬送し、紙幣入出金口３６に排出する。紙幣入出金口３６に全ての外国通貨の紙幣が払い出された後、第３のシャッター３８が開かれる（図８のステップＳ２２）。紙幣入出金口３６から一般客５によって外国通貨の紙幣が取り出されると、制御部２１は、入出金口３１，３６のシャッター（第１および第３のシャッター３２，３８）を閉じて外貨両替処理を終了し、操作表示部２６に外貨両替開始画面１０１（図７参照）を表示する。
（第１の釣銭準備処理）
図２１は、図６に示す釣銭準備処理のうち、第１の釣銭準備処理の流れを説明するため
のフローチャートである。図２２〜図３０、図３２および図３３は、第１の釣銭準備処理における操作表示部２６の表示内容の一例を示す図である。図３１は、第１の釣銭準備処理において、貨幣処理装置１から発行されるレシート８２の一例を示す図である。以下、第１の釣銭準備処理について、図１、図２、図５および図２１を参照しながら説明する。図２２〜図３３は適宜参照する。
【００８４】
外貨両替開始画面１０１（図７参照）が操作表示部２６に表示されている状態で、従業員６が、従業員カードＣＡ１をカード挿入口３３に挿入する。カード挿入口３３に挿入されたカードはカード処理部１８へ搬送され、カード処理部１８においてカードからＩＤ情報が読み取られ、これにより、従業員６のＩＤ情報が制御部２１に取得される。制御部２１は、読み取ったＩＤ情報と、記憶部８４に記憶されている従業員６のＩＤ情報とを照合して認証を行う。
【００８５】
認証が成功すると（すなわち、カード挿入口３３に挿入されたカードが、真正の従業員カードＣＡ１であることが確認されると）（図２１のステップＳ３１でＹＥＳ）、制御部２１は、図２２に示すように、レジ番号入力画面１３１を操作表示部２６に表示する。レジ番号入力画面１３１には、釣銭準備金の出金を希望するＰＯＳレジスタ３のレジ番号の入力を従業員６に促すガイダンスと、レジ番号が空欄にされた設定用レジ番号表示１３２と、テンキー１３３とが表示される。従業員６は、テンキー１３３の操作により、釣銭準備金の出金を希望するＰＯＳレジスタ３のレジ番号を入力することができる（図２１のステップＳ３２）。また、従業員６は、レジ番号入力画面１３１の右上に表示されている取消しボタン１３４を選択することにより、外貨両替開始画面１０１に戻ることができる。なお、レジ番号入力画面１３１を含む第１の釣銭準備画面２８において、各第１の釣銭準備画面２８に含まれるガイダンスの言語は日本語である。
【００８６】
入力されたレジ番号が、管理装置２に管理されている真正なレジ番号である場合、制御部２１は、入力されたレジ番号のＰＯＳレジスタ３を、第１の釣銭準備処理の対象として特定する。制御部２１は、図２３に示すように、出金パターン（出金を希望する金種および枚数（包装硬貨である場合は、その包装硬貨の本数））を選択するための出金内容選択画面１３５を操作表示部２６に表示する。出金内容選択画面１３５を含む第１の釣銭準備画面２８においては、入力されたレジ番号の表示１３０が適宜表示される。
【００８７】
出金内容選択画面１３５は、出金パターン選択表示１３６と、出金パターン選択表示１３６の選択内容をリセットするためのリセット（全訂正）ボタン１３７と、選択終了ボタン１３８とが表示されている。出金パターン選択表示１３６には、選択可能な貨幣の金種（五千円、千円、五百円、百円、五十円、十円、五円および一円）の金種表示と、各金種および枚数（包装硬貨である場合は、その包装硬貨の本数）を選択するための金種・枚数選択ボタンと、選択済みの貨幣の金額を金種毎に表示する選択済み金額表示部とが含まれている。なお、出金パターン選択表示１３６では、出金する硬貨の枚数（本数）は、バラ硬貨の枚数と、包装硬貨の本数とに分けて表示されている。また、選択済み貨幣の合計金額も表示される。
【００８８】
従業員６は、出金内容選択画面１３５を用いて出金パターンを作成（特定）する（図２１のステップＳ３３）。出金パターンの作成が終了すると、従業員６は、選択終了ボタン１３８を操作する。これにより、出金パターンの作成が完了する。
出金パターンの作成の完了後、制御部２１は、図２４に示すように、出金の明細を示す出金内容確認画面１４０を操作表示部２６に表示する（図２１のステップＳ３４）。出金内容確認画面１４０には、選択された出金内容の明細１４１と、出金内容選択画面１３５に戻るための戻るボタン１４２と、確認ボタン１４３とが表示されている。
【００８９】
図２４に示す出金内容確認画面１４０において確認ボタン１４３が操作されると（図２１のステップＳ３５でＹＥＳ）、第１の釣銭準備取引の終了が確定する。そして、制御部２１は、釣銭準備金（日本円）の出金処理を実行する（図２１のステップＳ３６）。具体的には、制御部２１は、紙幣部１５を制御して、出金すべき日本円の紙幣に対応する収納庫３０Ａ〜３０Ｃから紙幣を搬送し、紙幣入出金口３６に日本円の紙幣を排出する。また、制御部２１は、バラ硬貨出金部１６を制御して、出金すべき日本円のバラ硬貨に対応する硬貨収納庫５６Ｂ〜５６Ｅからバラ硬貨を搬送し、バラ硬貨出金口３１に日本円のバラ硬貨を排出する。また、制御部２１は、包装硬貨出金部１７を制御して、出金すべき日本円の包装硬貨に対応するカセット７２から包装硬貨を搬送し、包装硬貨出金口３５に日本円の包装硬貨を排出する。
【００９０】
また、制御部２１は、図２５に示すように、出金中画面１４８を操作表示部２６に表示する。出金中画面１４８は、貨幣処理装置１を正面から見たイメージと、待機すべき旨のガイダンスと、出金中である旨のイラストとを含む。
全ての出金貨幣が各出金口（紙幣入出金口３６、バラ硬貨出金口３１、包装硬貨出金口３５）に排出されると、制御部２１は、印字部１９を制御して、出金明細の内容をレシート８２に印字する（図２１のステップＳ３７）。これにより、レシート発行口３４からレシート８２が発行される。
【００９１】
図３１に示すように、レシート８２には、図２４に示す出金内容確認画面１４０の明細１４１と同内容の出金明細が記載されている。具体的には、レシート８２には、レジ番号の表示８２Ａ、出金日時、従業員ＩＤ、出金額の明細８２Ｂ等が記載される。なお、図３１に示すように、レシート８２は日本語表記である。
また、レシート８２の発行に併せて、制御部２１は、図２６に示すように、レシート発行画面１４９を操作表示部２６に表示する。レシート発行画面１４９は、貨幣処理装置１を正面から見たイメージと、レシート８２をレシート発行口３４から抜き取る旨のガイダンスおよびイラストとを含む。
【００９２】
レシート８２がレシート発行口３４から抜き取られると、制御部２１は、図２７に示すように、支払い画面１５０を操作表示部２６に表示する。支払い画面１５０は、貨幣処理装置１を正面から見たイメージと、紙幣および硬貨を、出金口３１，３５，３６から取り出す旨のガイダンスおよびイラストとを含む。
支払い画面１５０の表示後、出金対象の出金口が開放される。たとえば、第３のシャッター３８が開かれて、紙幣入出金口３６が開放され、第１のシャッター３２が開かれて、バラ硬貨出金口３１が開放されると共に、第２のシャッター３７が開かれて、包装硬貨出金口３５が開放される（図２１のステップＳ３８）。従業員６は、紙幣入出金口３６から日本円の紙幣を取り出し、バラ硬貨出金口３１から日本円のバラ硬貨を取り出すと共に、包装硬貨出金口３５から日本円の包装硬貨を取り出す。
【００９３】
従業員６によって出金口３１，３５，３６から出金貨幣が取り出されると、制御部２１は、各出金口のシャッターを閉じて、図２８に示すように、継続確認画面１５１を操作表示部２６に表示する。継続確認画面１５１は、貨幣処理装置１を正面から見たイメージと、第１の釣銭準備処理を継続するか否かを問いかけるガイダンスと、第１の釣銭準備処理を継続するか否かを選択操作するための操作ボタン１５２（「×いいえ」「○はい」）とを含む。
【００９４】
操作ボタン１５２の操作により、第１の釣銭準備処理の継続（「○はい」）が選択された場合（引き続き、他のＰＯＳレジスタ３についての第１の釣銭準備処理を実行する場合）（図２１のステップＳ３９でＹＥＳ）、制御部２１は、図２２に示すレジ番号入力画面１３１を操作表示部２６に表示し、釣銭準備金の出金を次に希望するＰＯＳレジスタ３のレジ番号の入力を従業員６に促す。この場合、図２１のステップＳ３２からステップＳ３８までの各処理が繰り返される。これは、一人の従業員（フロアリーダー等）が、複数のレジの釣銭準備金を取り出しに来る運用に対応する処理である。
【００９５】
一方、操作ボタン１５２の操作により、第１の釣銭準備処理の非継続（「×いいえ」）が選択された場合（図２１のステップＳ３９でＮＯ）には、制御部２１は、カード処理部１８を制御して、貨幣処理装置１の内部に投入されている従業員カードＣＡ１をカード挿入口３３から排出（返却）する（図２１のステップＳ４１）。
また、従業員カードＣＡ１の返却に併せて、制御部２１は、図２９に示すように、カード返却画面１５３を操作表示部２６に表示する。カード返却画面１５３は、貨幣処理装置１を正面から見たイメージと、従業員カードＣＡ１をカード挿入口３３から抜き取る旨のガイダンスおよびイラストとを含む。
【００９６】
従業員カードＣＡ１がカード挿入口３３から抜き取られると、制御部２１は、図３０に示すように、後処理画面１５４を操作表示部２６に表示し、第１の釣銭準備処理を終了する。その後、所定時間が経過すると、操作表示部２６に外貨両替開始画面１０１を表示する。つまり、操作表示部２６の表示が、操作表示部２６の表示が、デフォルト画面である外貨両替開始画面１０１に復帰する。
【００９７】
また、第１の釣銭準備処理の終了後において、制御部２１は、通信Ｉ／Ｆ部８５を介して、管理装置２に、出金対象のＰＯＳレジスタ３のレジ番号およびその出金内容を送信する。
一方、従業員７は、図２３に示す出金内容選択画面１３５および図２４に示す出金内容確認画面１４０において、画面の右上に表示されている取消しボタン１３９，１４４を選択することにより、第１の釣銭準備取引を中止することができる。取消しボタン１３９，１４４が操作されると（図２１のステップＳ４０でＹＥＳ）、制御部２１は、カード処理部１８を制御して、貨幣処理装置１の内部に投入されている従業員カードＣＡ１をカード挿入口３３から排出（返却）する（図２１のステップＳ４１）。カード挿入口３３から従業員７によって従業員カードＣＡ１が抜き取られると、制御部２１は、第１の釣銭準備処理を終了し、操作表示部２６に外貨両替開始画面１０１（図７参照）を表示する。
【００９８】
ところで、貨幣処理装置１による、第１の釣銭準備処理の対象となるＰＯＳレジスタ３の個体の特定は、レジ番号入力画面１３１（図２２参照）を用いて行うのではなく、各ＰＯＳレジスタ３に割り当てられているレジカード（図示しない）を用いることによっておこなわれていてもよい。以降、この場合についての取り扱いについて、図１、図２、図５、図２１、図３２および図３３を参照しながら説明する。
【００９９】
この場合、従業員カードＣＡ１を用いた認証が成功すると（図２１のステップＳ３１でＹＥＳ）、制御部２１は、カード処理部１８を制御して、貨幣処理装置１の内部に投入されている従業員カードＣＡ１をカード挿入口３３から排出（返却）する。また、従業員カードＣＡ１の返却に併せて、制御部２１は、図３２に示すように、カード返却画面１５６を操作表示部２６に表示する。カード返却画面１５６は、貨幣処理装置１を正面から見たイメージと、従業員カードＣＡ１をカード挿入口３３から抜き取る旨のガイダンスおよびイラストとを含む。
【０１００】
従業員カードＣＡ１がカード挿入口３３から抜き取られると、制御部２１は、図３３に示すように、レジカード挿入案内画面１５７を操作表示部２６に表示し、カード挿入口３３へのレジカードの挿入を従業員７に促す。レジカード挿入案内画面１５７は、貨幣処理装置１を正面から見たイメージと、レジカードを投入するように促すためのガイダンスおよびイラストとを表示している。また、従業員７は、レジカード挿入案内画面１５７の右上に表示されている取消しボタン１５８を操作することにより、外貨両替開始画面１０１に戻ることができる。
【０１０１】
カード挿入口３３に挿入されたレジカードはカード処理部１８へ搬送され、カード処理部１８においてレジカードからＩＤ情報が読み取られ、これにより、ＰＯＳレジスタ３のＩＤ情報が制御部２１に取得される。制御部２１は、読み取ったＩＤ情報と、記憶部８４に記憶されているＰＯＳレジスタ３のＩＤ情報とを照合して認証を行う。
レジカードからＩＤ情報が読み取られた後、制御部２１は、カード処理部１８を制御して、貨幣処理装置１の内部に投入されているレジカードをカード挿入口３３から排出（返却）する。また、レジカードの返却に併せて、制御部２１は、図３２と同等のカード返却画面（図示しない）を操作表示部２６に表示する。
【０１０２】
認証が成功すると（すなわち、カード挿入口３３に挿入されたカードが、真正のレジカードであると）、制御部２１は、図２２に示すレジ番号入力画面１３１を操作表示部２６に表示する。その後は、図２１のステップＳ３３以降の各処理が行われる。この場合、従業員カードＣＡ１は既に従業員６に返却済みであるので、図２１のステップＳ４１の処理は行われない。
【０１０３】
また、図２１のステップＳ３８の後、第１の釣銭準備処理を継続する場合（図２１のステップＳ３９でＹＥＳ）には、従業員６は、釣銭準備金の出金を次に希望するＰＯＳレジスタ３に割り当てられたレジカードを、カード挿入口３３に挿入する。
（第２の釣銭準備処理）
図３４は、図６に示す釣銭準備処理のうち、第２の釣銭準備処理の流れを説明するためのフローチャートである。図３５〜図４１は、第２の釣銭準備処理における操作表示部２６の表示内容の一例を示す図である。図４２は、第２の釣銭準備処理において、貨幣処理装置１から発行されるレシート８３の一例を示す図である。以下、第２の釣銭準備処理について、図１、図２、図５および図３４を参照しながら説明する。図３５〜図４２は適宜参照する。
【０１０４】
外貨両替開始画面１０１（図７参照）が操作表示部２６に表示されている状態で、従業員７が、テナント用カードＣＡ２をカード挿入口３３に挿入する。カード挿入口３３に挿入されたカードはカード処理部１８へ搬送され、カード処理部１８においてカードからＩＤ情報が読み取られ、これにより、外部テナントＣのＩＤ情報が制御部２１に取得される。制御部２１は、読み取ったＩＤ情報と、記憶部８４に記憶されている外部テナントＣのＩＤ情報とを照合して認証を行う。
【０１０５】
認証が成功すると（すなわち、カード挿入口３３に挿入されたカードが、真正のテナント用カードＣＡ２であると判定すると）（図３４のステップＳ５１でＹＥＳ）、制御部２１は、紙幣入出金口３６のシャッター（第３のシャッター３８）を閉じて、図３５に示すように、第２の釣銭準備処理処理の入金案内画面１６１を操作表示部２６に表示し、日本円の紙幣の紙幣入出金口３６への投入を従業員７に促す。入金案内画面１６１は、貨幣処理装置１を正面から見たイメージと、紙幣入出金口３６に紙幣を投入するように促すためのガイダンスおよびイラストとを表示している。また、従業員７は、入金案内画面１６１の右上に表示されている取消しボタン１６２を操作することにより、外貨両替開始画面１０１に戻ることができる。なお、入金案内画面１６１を含む第２の釣銭準備画面２９において、各第２の釣銭準備画面２９に含まれるガイダンスの言語は日本語である。入金案内画面１６１を含む第２の釣銭準備画面２９においては、テナント用カードＣＡ２に対応するテナント番号の表示１６０が適宜表示されている。また、外部テナントＣのＩＤ情報に合わせて店舗名称を記憶部１８４に記憶しておけば、以降の処理画面に店舗名称を表示することができる。
【０１０６】
操作表示部２６への入金案内画面１６１の表示開始後において、従業員７は、入金案内画面１６１の案内に従って日本円の紙幣（たとえば一万円札や五千円札の高額紙幣）を紙幣入出金口３６に投入する。日本円の紙幣が紙幣入出金口３６に投入されると（図３４のステップＳ５２でＹＥＳ）、その後、第３のシャッター３８が閉じられて、紙幣入出金口３６が閉塞される。その後、制御部２１は紙幣部１５を駆動して、紙幣入出金口３６に投入された日本円の紙幣を一時保留部３０Ｄに向けて１枚ずつ搬送させる。
【０１０７】
第３のシャッター３８が閉じられた後は、制御部２１は、図３６に示すように、紙幣を計数中である旨を示すための計数中画面１６３を操作表示部２６に表示する。計数中画面１６３は、貨幣処理装置１を正面から見たイメージと、待機すべき旨のガイダンスと、計時中である旨のイラストとを含む。
一時保留部３０Ｄに向けて搬送させられる日本円の紙幣は、その搬送途中において識別部４５によって、金種、正損、真偽等が識別される（図３４のステップＳ５３）。この識別部４５による識別に基づき、入金された日本円の紙幣の枚数が金種ごとに計数され（図３４のステップＳ５３）、一時保留部３０Ｄに混合状態で保留される。識別部４５によって偽券が検出された場合には、入金リジェクト部５４からリジェクトされる。また、外国通貨の紙幣であることが検出された場合にも、入金リジェクト部５４からリジェクトされる。
【０１０８】
日本円の紙幣の計数が終了すると、制御部２１は、図３７に示すように、両替後の出金パターン（両替を希望する金種および枚数（包装硬貨である場合は、その包装硬貨の本数））を選択するための両替内容選択画面１６４を操作表示部２６に表示する。
両替内容選択画面１６４は、出金パターン選択表示１６５と、出金パターン選択表示１６５の選択内容をリセットするためのリセット（全訂正）ボタン１６７と、追加入金（両替）ボタン１６８と、選択終了ボタン１６９とが表示されている。出金パターン選択表示１６５には、選択可能な貨幣の金種（五千円、千円、五百円、百円、五十円、十円、五円および一円）の金種表示と、各金種および枚数（包装硬貨である場合は、その包装硬貨の本数）を選択するための金種・枚数選択ボタンと、選択済みの貨幣の金額を金種毎に表示する選択済み金額表示部とが含まれている。さらに、入金金額や残金額が表示される。
【０１０９】
従業員７は、両替内容選択画面１６４を用いて出金パターンを作成（特定）する（図３４のステップＳ５４）。選択済み金額表示部１６５Ｃの表示額が入金された日本円の紙幣の額に達した状態（残金額が０になった状態）で、従業員７によって選択終了ボタン１６９が操作されることにより、出金パターンが確定する。
出金パターンの確定後、制御部２１は、図３８に示すように、両替内容の明細を示す両替内容確認画面１７０を操作表示部２６に表示する（図３４のステップＳ５５）。両替内容確認画面１７０には、両替内容の明細１７２と、入金額表示１７３と、両替内容選択画面１６４に戻るための戻るボタン１７４と、追加入金（両替）ボタン１７５と、確認ボタン１７６とが表示されている。なお、明細１７２では、出金する硬貨の枚数（本数）は、バラ硬貨の枚数と、包装硬貨の本数とに分けて表示されている。
【０１１０】
図３７に示す両替内容選択画面１６４および図３８に示す両替内容確認画面１７０において、日本円の紙幣を追加両替したい場合には、従業員７は、追加両替ボタン１６８または追加両替ボタン１７５をタッチ操作により選択する。追加両替ボタン１６８または追加両替ボタン１７５が選択されると、制御部２１は、紙幣入出金口３６のシャッター（第３のシャッター３８）を閉じるとともに、追加両替案内画面（図示しない）を操作表示部２６に表示し、日本円の紙幣の紙幣入出金口３６への投入を従業員７に促す。この状態で、紙幣入出金口３６に新たに日本円の紙幣が投入されると、その後、紙幣入出金口３６が閉塞され、紙幣入出金口３６に投入された日本円の紙幣が一時保留部３０Ｄに向けて搬送させられる。そして、識別部４５による計数が再度行われ、入金された日本円の紙幣の枚数が金種ごとに計数される。また、操作表示部２６の表示が計数中画面１６３（図３６参照）に切り換わる。そして、識別部４５による計数が終了すると、制御部２１は、追加計数された金額を合算した入金額に基づく両替内容選択画面１６４（図３７参照）を操作表示部２６に再度表示する。
【０１１１】
また、計数動作中に、リジェクト紙幣が検出された場合には、入金リジェクト部５４へのリジェクト排出に併せて、制御部２１は、紙幣入出金口３６のシャッター（第３のシャッター３８）を開放するとともに、入金リジェクト部５４からのリジェクト紙幣の抜き取りを促す旨のガイダンスが表示されたリジェクト抜き取り待ち画面（図示しない）が表示される。リジェクト紙幣が抜き取られた後、制御部２１は、追加入金案内画面（図示しない）を操作表示部２６に表示する。この状態で、紙幣入出金口３６に紙幣を投入すると、紙幣入出金口３６が閉塞される。その後の動作は、追加入金の場合と同様である。
【０１１２】
図３８に示す両替内容確認画面１７０において確認ボタン１７６が操作されると（図３４のステップＳ５６でＹＥＳ）、第２の釣銭準備取引の両替内容が確定する。そして、制御部２１は、釣銭準備金（日本円）の出金処理を実行する（図３４のステップＳ５７）。具体的には、制御部２１は、紙幣部１５を制御して、出金すべき日本円の紙幣に対応する収納庫３０Ａ〜３０Ｃから紙幣を搬送し、紙幣入出金口３６に日本円の紙幣を排出する。また、制御部２１は、バラ硬貨出金部１６を制御して、出金すべき日本円のバラ硬貨に対応する硬貨収納庫５６Ｂ〜５６Ｅからバラ硬貨を搬送し、バラ硬貨出金口３１に日本円のバラ硬貨を排出する。また、制御部２１は、包装硬貨出金部１７を制御して、出金すべき日本円の包装硬貨に対応するカセット７２からバケット７４へ繰り出して包装硬貨を搬送し、包装硬貨出金口３５へ日本円の包装硬貨を排出する。
【０１１３】
また、制御部２１は、図３９に示すように、出金中画面１７８を操作表示部２６に表示する。出金中画面１７８は、貨幣処理装置１を正面から見たイメージと、待機すべき旨のガイダンスと、出金中である旨のイラストとを含む。
全ての出金貨幣が各出金口に排出されると、制御部２１は、印字部１９を制御して、両替明細の内容をレシート８３に印字する（図３４のステップＳ５８）。これにより、レシート発行口３４からレシート８３が発行される。また、制御部２１は、カード処理部１８を制御して、貨幣処理装置１の内部に投入されているテナント用カードＣＡ２をカード挿入口３３から排出（返却）する（図３４のステップＳ５８）。
【０１１４】
図４２に示すように、レシート８３には、図３８に示す両替内容確認画面１７０の明細１７２と同内容の両替明細が記載されている。具体的には、レシート８３には、両替日時、テナント番号の表示８３Ａ、入金額の明細８３Ｂ、出金額の明細８３Ｃ等が記載される。なお、図４２に示すように、レシート８３は日本語表記である。
また、レシート８３の発行およびテナント用カードＣＡ２の返却に併せて、制御部２１は、図４０に示すように、カード返却／レシート発行画面１７９を操作表示部２６に表示する。カード返却／レシート発行画面１７９は、貨幣処理装置１を正面から見たイメージと、レシート８３をおよびテナント用カードＣＡ２をそれぞれレシート発行口３４およびカード挿入口３３から抜き取る旨のガイダンスおよびイラストとを含む。
【０１１５】
レシート８３がレシート発行口３４から抜き取られ、かつテナント用カードＣＡ２がカード挿入口３３から抜き取られると、制御部２１は、図４１に示すように、支払い画面１８０を操作表示部２６に表示する。支払い画面１８０は、貨幣処理装置１を正面から見たイメージと、紙幣および硬貨を、出金口３１，３５，３６から取り出す旨のガイダンスおよびイラストとを含む。
【０１１６】
支払い画面１８０の表示後、出金対象の出金口が開放される。たとえば、第３のシャッター３８が開かれて、紙幣入出金口３６が開放され、第１のシャッター３２が開かれて、バラ硬貨出金口３１が開放されると共に、第２のシャッター３７が開かれて、包装硬貨出金口３５が開放される（図３４のステップＳ５９）。従業員７は、紙幣入出金口３６から日本円の紙幣を取り出し、バラ硬貨出金口３１から日本円のバラ硬貨を取り出すと共に、包装硬貨出金口３５から日本円の包装硬貨を取り出す。
【０１１７】
そして、従業員７が、各出金口３１，３５，３６から出金貨幣を取り出すと、制御部２１は、各出金口のシャッター（シャッター３２，３７，３８）を閉じるとともに、後処理画面（図３０と同等の画面）を操作表示部２６に表示して第２の釣銭準備処理を終了し、その後、操作表示部２６に外貨両替開始画面１０１を表示する。つまり、操作表示部２６の表示が、操作表示部２６の表示が、デフォルト画面である外貨両替開始画面１０１に復帰する。
【０１１８】
第２の釣銭準備取引の終了後には、制御部２１は、紙幣部１５を制御して、一時保留部３０Ｄに一時的に収納されている日本円の紙幣を入金庫３０Ｅに向けて搬送させる。これにより、紙幣入出金口３６に元金として投入された日本円の紙幣が、入金庫３０Ｅに入金される。
一方、従業員７は、図３７に示す両替内容選択画面１６４および図３８に示す両替内容確認画面１７０において、画面の右上に表示されている取消しボタン１６６，１７１を選択することにより、第２の釣銭準備取引を中止することができる。取消しボタン１６６，１７１が操作されると（図３４のステップＳ６０でＹＥＳ）、貨幣処理装置１に投入されている日本円の紙幣が従業員７に返却される（図３４のステップＳ６１）。具体的には、制御部２１は、紙幣部１５を制御して、一時保留部３０Ｄに収納されている日本円の紙幣を紙幣入出金口３６に向けて搬送し、紙幣入出金口３６に排出する。紙幣入出金口３６に全ての日本円の紙幣が払い出された後、第３のシャッター３８が開かれる（図３４のステップＳ６２）。また、制御部２１は、カード処理部１８を制御して、貨幣処理装置１の内部に投入されているテナント用カードＣＡ２をカード挿入口３３から排出（返却）する。
【０１１９】
紙幣入出金口３６から従業員７によって日本円の紙幣が取り出され、かつカード挿入口３３から従業員７によってテナント用カードＣＡ２が抜き取られると、制御部２１は、第２の釣銭準備処理を終了し、操作表示部２６に外貨両替開始画面１０１（図７参照）を表示する。
以上により、この実施形態によれば、貨幣処理装置１において、外貨両替処理と、釣銭準備処理とが切り換えて実行される。そのため、外貨両替処理と釣銭準備処理とを個別に実行することができ、外貨両替処理および釣銭準備処理のそれぞれを円滑に行うことができる。
【０１２０】
ゆえに、外貨両替処理だけでなく釣銭準備処理（第１の釣銭準備処理および第２の釣銭準備処理）を行うことが可能であり、かつ、それぞれの処理を円滑に実行できる、貨幣処理装置１を提供することができる。
また、この実施形態では、外貨両替画面２７（外貨両替開始画面１０１）が、デフォルト画面（待機画面）として操作表示部２６に表示される。貨幣処理装置１を利用する一般客５（外国人観光客を含む）は、当該店舗Ａに設置されている貨幣処理装置１をおそらく初めて使用するから、当該貨幣処理装置１の操作に慣れていない。外貨両替画面２７をデフォルト画面（待機画面）として採用することにより、一般客５の使い易さの向上を図ることができる。
【０１２１】
とくに、この実施形態では、外貨両替画面２７のうち外貨両替開始画面１０１を、デフォルト画面として採用している。そのため、取引者はデフォルト画面（外貨両替ボタン１０２）をタッチ操作すれば直ちに外貨両替取引を開始することができ、これにより、外国人観光客の使い易さの向上をより、一層図ることができる。
また、この実施形態では、貨幣処理装置１の待機状態（すなわち、外貨両替開始画面１０１が操作表示部２６に表示されている状態）においてカード処理部１８がカードＣＡ１，ＣＡ２を受け付けることにより、釣銭準備処理の実行が開始される。そのため、取引者は、他のタッチ操作を行うことなく、カードＣＡ１，ＣＡ２をカード挿入口３３に挿入するだけで釣銭準備処理の実行を開始できる。さらに、カード処理部１８が読み取ったＩＤ情報の種別に応じて、その後に実行される釣銭準備処理の種別が第１の釣銭準備処理と第２の釣銭準備処理との間で選択される。そのため、カードＣＡ１，ＣＡ２を取引者がカード挿入口３３に挿入するだけで、そのカードＣＡ１，ＣＡ２の種別に応じた所望の取引を開始することができる。
【０１２２】
以上、この発明の一実施形態について説明したが、本発明はさらに他の形態で実施することもできる。
たとえば、前述の実施形態では、デフォルト画面（待機画面）が操作表示部２６に表示されている状態で、カード（従業員カードＣＡ１またはテナント用カードＣＡ２）の投入により、釣銭準備処理を開始するとして説明したが、これ以外を契機として釣銭準備処理が開始されるようになっていてもよい。
【０１２３】
具体的には、デフォルト画面（待機画面）として操作表示部２６に表示される外貨両替開始画面１０１に、釣銭準備処理を実行するためのボタンやアイコン等が設けられており、このボタンやアイコンが取引者に操作されることにより、釣銭準備処理が開始されるようにしてもよい。
また、デフォルト画面（待機画面）として操作表示部２６に表示される外貨両替開始画面１０１に、当該画面に表れない隠しコマンドが内蔵されており、当該画面の所定箇所等をおよび／または所定の操作手順で取引者が操作（隠しコマンドを操作）することにより、釣銭準備処理が開始されるようにしてもよい。
【０１２４】
これらの場合、当該ボタンやアイコン操作、隠しコマンドにより、釣銭準備処理を実行するための画面（たとえば、図２２に示すレジ番号入力画面１３１や図３５に示す入金案内画面１６１）に切り換わるようになっていてもよい。
なお、操作表示部２６にデフォルト画面（待機画面）が表示されている状態において、取引者からの操作が所定時間なかった場合に、所定のスクリーンセイバー画面が表示されるようになっていてもよい。この場合、操作者が操作表示部２６にタッチするか、別途設けられる対人センサによって操作者の接近が検出されると、スクリーンセイバー画面の表示が解除されると、操作表示部２６に外貨両替開始画面１０１が表示されるようになっていてもよい。
【０１２５】
前述した実施形態では、選択された両替元の外貨と外貨両替画面２７で使用されるガイダンスの言語とが１対１で対応付けられており、ガイダンスの言語として、「選択された両替元の外貨が使用される国（地域）で使用される言語」が自動的に選択される場合について説明した。しかしながら、ガイダンスの言語が取引者によって選択可能に設けられていてもよい。
【０１２６】
具体的には、外貨両替画面２７に、日本語を含む他の言語に切り替える切り替えボタン（アイコン）を設定し、この切り替えボタンの操作により、外貨両替画面２７上においてガイダンスの言語を取引者が選択操作可能とする。たとえば、外貨両替画面２７には、「選択された両替元の外貨が使用される国（地域）で使用される言語」がデフォルト表示されており、取引者が切り替えボタンを操作することにより、外貨両替画面２７に表示されている言語を、前述した４つの言語（英語、中国語、韓国語および日本語）の間で切り換えることができる。
【０１２７】
たとえば、海外旅行後に手元に残った外貨を、一般客５（日本人）が、貨幣処理装置１を用いて日本円貨幣に両替する場合に、切り替えボタンを操作して「日本語」を選択することにより、日本語のガイダンスを見ながら外貨両替処理を操作できる。
なお、ガイダンスの言語は、前述の４つの言語に限られず、他の言語であってもよい。この場合、主要な言語（フランス語、ドイツ語、スペイン語等）や、アジアの国の言語（マレー語、タイ語、インドネシア語等）を、ガイダンスの言語として用いることができる。
【０１２８】
なお、ガイダンスの言語が変更された場合、これに連動して、レシート８１，８２，８３の表示に使用される言語も変更される。
また、外貨両替処理において、両替元の外貨の金種の選択を、外貨両替ボタン１０２〜１０５ではなく、貨幣処理装置１に実際に投入される外貨の種別に基づいて、両替元の外貨の金種の選択するようにしてもよい。たとえば、識別部４５において検出した外貨の種別に基づいて、両替元の外貨の種別を選択するようにしてもよい。たとえば、投入された外貨がアメリカドルと識別されれば、その後アメリカドルの貨幣を日本円貨幣に両替する外貨両替処理が開始する。この場合、外貨両替取引を希望する取引者による外貨両替ボタン１０２〜１０５の操作を省略することができ、これにより、取引者の操作動作を簡略化できる。
【０１２９】
また、前述の実施形態では、１回の外貨両替処理において、両替元の外貨の種別として１種類の外国通貨しか設定できなかったが、複数種の外国通貨に係る貨幣を１回の外貨両替処理で、日本円貨幣に両替するようにしてもよい。たとえば、複数種の外国通貨に係る貨幣が混在した形で貨幣処理装置１に一括投入された場合に、貨幣処理装置１（たとえば識別部４５）がそれらの貨幣を識別し、通貨種別ごとに日本円に換算して合計金額分の日本円を出金するようにしてもよい。
【０１３０】
また、前述の実施形態に係る外貨両替処理において、出金パターンの選択を取引者が行えないようになっているが、出金パターンの選択を取引者が行えるようになっていてもよい。たとえば予め定める基本パターン（たとえば、出金される貨幣の合計枚数（包装硬貨である場合は、その包装硬貨の本数）が最小枚数となるようなパターン）がまず表示され、その表示内容を基に修正が施されるようになっていてもよい。このような基本パターンとして、たとえば千円紙幣が多い割合で出金されるパターンが用意されていてもよいし、百円硬貨（包装硬貨であってもよい）を多く出すパターンが用意されていてもよい。
【０１３１】
また、外貨両替処理において、切り捨てられた出金額の端数（端数の表示８１Ｅに表示される「端数」）の合計額が出力可能に設けられていてもよい。このような出金額の端数は、設置業者である店舗Ａの雑利益になる。出金額の端数の合計額を出力できれば、店舗Ａの税務処理を簡便に行うことが可能である。
また、外貨両替処理における入金額の上限や下限が設定可能となっていてもよい。この場合、たとえば、入金額の上限を円換算で五万円程度とし設定した場合、五万円相当額を超える入金貨幣は返却される。また、入金額の下限を円換算で千円程度とした場合は、入金額が千円相当額に達するまで、両替処理が実行されないものとする。
【０１３２】
また、貨幣処理装置１に入力されるＰＯＳレジスタ３の個体情報（たとえばレジ番号）に基づいて、第１および第２の釣銭準備処理における出金内容（出金パターン）が決まるようにしてもよい。具体的には、第１および第２の釣銭準備処理における出金内容は、レジ番号に関連付けて記憶部８４に記憶されており、レジ番号が入力されると、制御部２１は、対応する出金内容を記憶部８４から読み出されるようになっている。この場合、取引者による操作表示部２６の操作により出金内容が確定されてもよいし、読み出された出金内容が一意的に確定されてもよい。
【０１３３】
複数パターンの出金内容（出金パターン）を記憶部８４に記憶させることもでき、レジ番号が入力されると、制御部２１は、対応する複数パターンの出金内容を記憶部８４から読み出して、操作表示部２６に表示する。そして、取引者が、いずれかの出金内容を選択することで、出金内容が確定される。
また、第２の釣銭準備処理における出金内容を、レジ番号に関連付けて記憶部８４に記憶させる場合には、当該出金内容を、貨幣処理装置１への入金金額と連携させる必要がある。
【０１３４】
また、前述の実施形態の第２の釣銭準備処理において、貨幣処理装置１に入金される日本円の紙幣の少なくとも一部が、入金庫３０Ｅではなく、対応する金種の出金庫３０Ａ〜３０Ｃに送られるようになっていてもよい。この第２の釣銭準備処理において出金庫３０Ａ〜３０Ｃに送られた日本円の紙幣を、外貨両替処理における出金用の日本円貨幣として使用（リサイクル使用）してもよい。この場合、第２の釣銭準備処理において貨幣処理装置１に入金された日本円貨幣を有効活用できる。特に、出金庫３０Ａ〜３０Ｃの中で在高が所定値以下となっている金種について、入金紙幣の中から当該金額の紙幣が対応する出金庫へ送り込まれる（但し、損券は除く）。
【０１３５】
また、出金庫３０Ａ〜３０Ｃの庫内在庫の適正値の下限（たとえば、次取引の禁止が必要なニアエンプティ値）が、外貨両替処理と釣銭準備処理とで、個別に設定されていてもよい。具体的には、一般客５向けのサービスを優先すべく、外貨両替処理における庫内在庫のニアエンプティ値を、釣銭準備処理における庫内在庫のニアエンプティ値よりも少なく（低値に）設定するようにしてもよい。この場合、機内在庫の減少に伴い、釣銭準備処理のニアエンプティ値に達すると、貨幣処理装置１において釣銭準備処理を行うことが不可能になるが、その後しばらくの間は、外貨両替処理を行うことは可能である。この場合、貨幣処理装置１を利用できない従業員６または従業員７は、貨幣処理装置１への紙幣の補充を待つか、あるいは、貨幣入出金装置９を利用して釣銭準備金を出金する。
【０１３６】
また、カード処理部１８として、非接触ＩＣを読み取ることが可能な非接触式のカード処理部が用意される場合には、カード処理部１８は、貨幣処理装置１の前面に配置される。この場合、従業員カードＣ１やテナント用カードＣ２、レジカードとしてＩＣカードを用いることができる。
また、貨幣処理装置１において、外貨両替処理に併せて、日本円貨幣を日本円貨幣に両替する日→日両替処理が実行可能に設けられていてもよい。この日→日両替処理は、釣銭準備金を目的とするものではなく、たとえば、複数枚の低額紙幣を一万円札に交換する、いわゆる逆両替を行えてもよい。この場合、外貨両替開始画面１０１に、日→日両替処理を実行するためのボタンやアイコンがあってもよい。なお、日→日両替処理は、従業員カードＣＡやテナント用カードなしに両替を行うことができるから、日→日両替処理の実行には手数料が要求されるようになっていてもよい。
【０１３７】
また、貨幣処理装置１は、外貨両替処理および第２の釣銭準備処理において、紙幣だけでなく硬貨も入金可能に設けられてもよい。
また、貨幣処理装置１は、第１の釣銭準備処理および第２の釣銭準備処理を、釣銭準備処理として実行可能であるとして説明したが、貨幣処理装置１において実行可能な釣銭準備処理が、第１の釣銭準備処理および第２の釣銭準備処理の一方のみであってもよい。
【０１３８】
また、貨幣処理装置１は入金機能を有しているので、直営売り場Ｂの従業員（従業員６であってもよい）が、直営売り場Ｂの各ＰＯＳレジスタ３に溜まった一万円札を貨幣処理装置１に入金するような運用を行ってもよい。このような運用を行う場合、貨幣入出金装置９を廃止することもできる。
その他、特許請求の範囲に記載された事項の範囲で種々の設計変更を施すことが可能で
ある。
【符号の説明】
【０１３９】
１        ：貨幣処理装置
２        ：管理装置
１８      ：カード処理部（ＩＤ情報受付手段、入力情報受付手段）
２６      ：操作表示部（表示部、操作部）
２７      ：外貨両替画面
２８      ：第１の釣銭準備画面（釣銭準備画面）
２９      ：第２の釣銭準備画面（釣銭準備画面）
９１      ：入金部
９２      ：出金部
１００    ：貨幣処理システム
１０１    ：外貨両替開始画面
Ａ        ：店舗
【図１】
2017157155.tif 000003
【図２】
2017157155.tif 000004
【図３】
2017157155.tif 000005
【図４Ａ】
2017157155.tif 000006
【図４Ｂ】
2017157155.tif 000007
【図４Ｃ】
2017157155.tif 000008
【図５】
2017157155.tif 000009
【図６】
2017157155.tif 000010
【図７】
2017157155.tif 000011
【図８】
2017157155.tif 000012
【図９】
2017157155.tif 000013
【図１０】
2017157155.tif 000014
【図１１】
2017157155.tif 000015
【図１２】
2017157155.tif 000016
【図１３】
2017157155.tif 000017
【図１４】
2017157155.tif 000018
【図１５】
2017157155.tif 000019
【図１６】
2017157155.tif 000020
【図１７】
2017157155.tif 000021
【図１８】
2017157155.tif 000022
【図１９】
2017157155.tif 000023
【図２０】
2017157155.tif 000024
【図２１】
2017157155.tif 000025
【図２２】
2017157155.tif 000026
【図２３】
2017157155.tif 000027
【図２４】
2017157155.tif 000028
【図２５】
2017157155.tif 000029
【図２６】
2017157155.tif 000030
【図２７】
2017157155.tif 000031
【図２８】
2017157155.tif 000032
【図２９】
2017157155.tif 000033
【図３０】
2017157155.tif 000034
【図３１】
2017157155.tif 000035
【図３２】
2017157155.tif 000036
【図３３】
2017157155.tif 000037
【図３４】
2017157155.tif 000038
【図３５】
2017157155.tif 000039
【図３６】
2017157155.tif 000040
【図３７】
2017157155.tif 000041
【図３８】
2017157155.tif 000042
【図３９】
2017157155.tif 000043
【図４０】
2017157155.tif 000044
【図４１】
2017157155.tif 000045
【図４２】
2017157155.tif 000046